(57)【特許請求の範囲】
【請求項１】
セルラー無線通信システムにおけるチャネル状態受信方法であって、
相異なる多重化モードのコンポーネントキャリアのキャリアアグリゲーションをサポートする通信システムにおける、端末に対してＦＤＤ（frequency division duplex）モードの第１のサービングセルとＴＤＤ（time division duplex）モードの第２のサービングセルのキャリアアグリゲーション（ＣＡ）を設定するステップと、
相異なる多重化モードのセルのキャリアアグリゲーションが構成された場合に、
前記第１のサービングセルの周期的チャネル状態情報（ＣＳＩ）報告のための第１のパラメータと、前記第２のサービングセルの周期的ＣＳＩ報告のための第２のパラメータを前記端末に伝送するステップと、
前記第１のサービングセルがプライマリーセルである場合に、前記ＦＤＤモードに関連する第１のテーブルから、前記第１のパラメータに基づいて、前記第１のサービングセルのための第１のＣＳＩ伝送周期と第１のオフセットを獲得し、前記第１のテーブルから、
前記第２のパラメータに基づいて、前記第２のサービングセルのための第２のＣＳＩ伝送周期と第２のオフセットを獲得するステップと、
前記第２のサービングセルがプライマリーセルである場合に、前記ＴＤＤモードに関連する第２のテーブルから、前記第１のパラメータに基づいて、前記第１のサービングセルのための第３のＣＳＩ伝送周期と第３のオフセットを獲得し、前記第２のテーブルから、
前記第２のパラメータに基づいて、前記第２のサービングセルのための第４のＣＳＩ伝送周期と第４のオフセットを獲得するステップと、
前記第１のＣＳＩ伝送周期と前記第１のオフセット又は前記第３のＣＳＩ伝送周期と前期第３のオフセットによって定められる第１のサブフレームで、前記第１のサービングセルの周期的ＣＳＩ報告を前記端末から受信するステップと、
前記第２のＣＳＩ伝送周期と前記第２のオフセット又は前記第４のＣＳＩ伝送周期と前期第４のオフセットによって定められる第２のサブフレームで、前記第２のサービングセルの周期的ＣＳＩ報告を前記端末から受信するステップと、を含む
ことを特徴とするチャネル状態受信方法。
【請求項２】
前記端末が前記第１又は第２のサブフレームでアップリンク共有チャネルを有しない場合に、前記第１又は第２のサービングセルの周期的ＣＳＩ報告は、アップリンク制御チャネルを通して前記端末から受信される
ことを特徴とする請求項１に記載のチャネル状態受信方法。
【請求項３】
前記端末が前記第１又は第２のサブフレームでスケジューリングされたアップリンク共有チャネルを有する場合に、前記第１又は第２のサービングセルの周期的ＣＳＩ報告は、前記スケジューリングされたアップリンク共有チャネルを通してアップリンクデータと共に受信される
ことを特徴とする請求項１に記載のチャネル状態受信方法。
【請求項４】
相異なる多重化モードのコンポーネントキャリアのキャリアアグリゲーションをサポートするセルラー無線通信システムにおける、端末によるチャネル状態（ＣＳＩ）報告方法であって、
ＦＤＤ（frequency division duplex）モードの第１のサービングセルとＴＤＤ（time division duplex）モードの第２のサービングセルのキャリアアグリゲーション（ＣＡ）を設定する設定情報を基地局から受信するステップと、
相異なる多重化モードのセルのキャリアアグリゲーションが構成された場合に、
前記第１のサービングセルの周期的チャネル状態情報（ＣＳＩ）報告のための第１のパラメータと、前記第２のサービングセルの周期的ＣＳＩ報告のための第２のパラメータを前記基地局から受信するステップと、
前記第１のサービングセルがプライマリーセルである場合に、前記ＦＤＤモードに関連する第１のテーブルから、前記第１のパラメータに基づいて、前記第１のサービングセルのための第１のＣＳＩ伝送周期と第１のオフセットを獲得し、前記第１のテーブルから、前記第２のパラメータに基づいて、前記第２のサービングセルのための第２のＣＳＩ伝送周期と第２のオフセットを獲得するステップと、
前記第２のサービングセルがプライマリーセルである場合に、前記ＴＤＤモードに関連する第２のテーブルから、前記第１のパラメータに基づいて、前記第１のサービングセルのための第３のＣＳＩ伝送周期と第３のオフセットを獲得し、前記第２のテーブルから、前記第２のパラメータに基づいて、前記第２のサービングセルのための第４のＣＳＩ伝送周期と第４のオフセットを獲得するステップと、
前記第１のＣＳＩ伝送周期と前記第１のオフセット又は前記第３のＣＳＩ伝送周期と前期第３のオフセットによって定められる第１のサブフレームで、前記第１のサービングセルの周期的ＣＳＩ報告を前記基地局に伝送するステップと、
前記第２のＣＳＩ伝送周期と前記第２のオフセット又は前記第４のＣＳＩ伝送周期と前期第４のオフセットによって定められる第２のサブフレームで、前記第２のサービングセルの周期的ＣＳＩ報告を前記基地局に伝送するステップと、を含む
ことを特徴とするチャネル状態報告方法。
【請求項５】
前記端末が前記第１又は第２のサブフレームでアップリンク共有チャネルを有しない場合に、前記第１又は第２のサービングセルの周期的ＣＳＩ報告は、アップリンク制御チャネルを通して前記基地局に伝送される
ことを特徴とする請求項４に記載のチャネル状態報告方法。
【請求項６】
前記端末が前記第１又は第２のサブフレームでスケジューリングされたアップリンク共有チャネルを有する場合に、前記第１又は第２のサービングセルの周期的ＣＳＩ報告は、前記スケジューリングされたアップリンク共有チャネルを通してアップリンクデータと共に前記基地局に伝送される
ことを特徴とする請求項４に記載のチャネル状態報告方法。
【請求項７】
前記第１のテーブルは、ＦＤＤ−ＴＤＤ ＣＡ状況で前記ＦＤＤモードのプライマリーセルのために設定され、ＣＳＩ伝送周期として｛２，５，１０，２０，４０，８０，１６０，３２，６４，１２８｝を含む
ことを特徴とする請求項１または請求項４に記載の方法。
【請求項８】
前記第２のテーブルは、ＦＤＤ−ＴＤＤ ＣＡ状況で前記ＴＤＤモードのプライマリーセルのために設定され、ＣＳＩ伝送周期として｛１，５，１０，２０，４０，８０，１６０｝を含む
ことを特徴とする請求項１または請求項４に記載の方法。
【請求項９】
相異なる多重化モードのコンポーネントキャリアのキャリアアグリゲーションをサポートするセルラー無線通信システム、におけるチャネル状態報告を制御する基地局装置であって、
送受信器と、
前記送受信器と結合されて前記送受信器を制御する制御器と、を含み、
前記送受信器は、
相異なる多重化モードのセルのキャリアアグリゲーションが構成された場合に、
端末に対してＦＤＤモードの第１のサービングセルとＴＤＤモードの第２のサービングセルのキャリアアグリゲーション（ＣＡ）を設定し、
前記第１のサービングセルの周期的チャネル状態情報（ＣＳＩ）報告のための第１のパラメータと、前記第２のサービングセルの周期的ＣＳＩ報告のための第２のパラメータを前記端末に伝送し、
前記第１のサービングセルがプライマリーセルである場合に、前記ＦＤＤモードに関連する第１のテーブルから、前記第１のパラメータに基づいて、前記第１のサービングセルのための第１のＣＳＩ伝送周期と第１のオフセットを獲得し、前記第１のテーブルから、前記第２のパラメータに基づいて、前記第２のサービングセルのための第２のＣＳＩ伝送周期と第２のオフセットを獲得し、
前記第２のサービングセルがプライマリーセルである場合に、前記ＴＤＤモードに関連する第２のテーブルから、前記第１のパラメータに基づいて、前記第１のサービングセルのための第３のＣＳＩ伝送周期と第３のオフセットを獲得し、前記第２のテーブルから、前記第２のパラメータに基づいて、前記第２のサービングセルのための第４のＣＳＩ伝送周期と第４のオフセットを獲得し、
前記第１のＣＳＩ伝送周期と前記第１のオフセット又は前記第３のＣＳＩ伝送周期と前期第３のオフセットによって定められる第１のサブフレームで、前記第１のサービングセルの周期的ＣＳＩ報告を前記端末から受信し、
前記第２のＣＳＩ伝送周期と前記第２のオフセット又は前記第４のＣＳＩ伝送周期と前期第４のオフセットによって定められる第２のサブフレームで、前記第２のサービングセルの周期的ＣＳＩ報告を前記端末から受信するように構成される
ことを特徴とする基地局装置。
【請求項１０】
前記端末が前記第１又は第２のサブフレームでアップリンク共有チャネルを有しない場合に、前記第１又は第２のサービングセルの周期的ＣＳＩ報告は、アップリンク制御チャネルを通して前記端末から受信される
ことを特徴とする請求項９に記載の基地局装置。
【請求項１１】
前記端末が前記第１又は第２のサブフレームでスケジューリングされたアップリンク共有チャネルを有する場合に、前記第１又は第２のサービングセルの周期的ＣＳＩ報告は、前記スケジューリングされたアップリンク共有チャネルを通してアップリンクデータと共に受信される
ことを特徴とする請求項９に記載の基地局装置。
【請求項１２】
相異なる多重化モードのコンポーネントキャリアのキャリアアグリゲーションをサポートするセルラー無線通信システム、におけるチャネル状態（ＣＳＩ）を報告する端末装置であって、
送受信器と、
前記送受信器と結合されて前記送受信器を制御する制御器と、を含み、
前記制御器は、
相異なる多重化モードのセルのキャリアアグリゲーションが構成された場合に、
ＦＤＤモードの第１のサービングセルとＴＤＤモードの第２のサービングセルのキャリアアグリゲーション（ＣＡ）を設定する設定情報を基地局から受信し、
前記第１のサービングセルの周期的チャネル状態情報（ＣＳＩ）報告のための第１のパラメータと、前記第２のサービングセルの周期的ＣＳＩ報告のための第２のパラメータを前記基地局から受信し、
前記第１のサービングセルがプライマリーセルである場合に、前記ＦＤＤモードに関連する第１のテーブルから、前記第１のパラメータに基づいて、前記第１のサービングセルのための第１のＣＳＩ伝送周期と第１のオフセットを獲得し、前記第１のテーブルから、前記第２のパラメータに基づいて、前記第２のサービングセルのための第２のＣＳＩ伝送周期と第２のオフセットを獲得し、
前記第２のサービングセルがプライマリーセルである場合に、前記ＴＤＤモードに関連する第２のテーブルから、前記第１のパラメータに基づいて、前記第１のサービングセルのための第３のＣＳＩ伝送周期と第３のオフセットを獲得し、前記第２のテーブルから、前記第２のパラメータに基づいて、前記第２のサービングセルのための第４のＣＳＩ伝送周期と第４のオフセットを獲得し、
前記第１のＣＳＩ伝送周期と前記第１のオフセット又は前記第３のＣＳＩ伝送周期と前期第３のオフセットによって定められる第１のサブフレームで、前記第１のサービングセルの周期的ＣＳＩ報告を前記基地局に伝送し、
前記第２のＣＳＩ伝送周期と前記第２のオフセット又は前記第４のＣＳＩ伝送周期と前期第４のオフセットによって定められる第２のサブフレームで、前記第２のサービングセルの周期的ＣＳＩ報告を前記基地局に伝送するように構成される
ことを特徴とする端末装置。
【請求項１３】
前記端末装置が前記第１又は第２のサブフレームでアップリンク共有チャネルを有しない場合に、前記第１又は第２のサービングセルの周期的ＣＳＩ報告は、アップリンク制御チャネルを通して前記基地局に伝送されることを特徴とする請求項１２に記載の端末装置。
【請求項１４】
前記端末装置が前記第１又は第２のサブフレームでスケジューリングされたアップリンク共有チャネルを有する場合に、前記第１又は第２のサービングセルの周期的ＣＳＩ報告は、前記スケジューリングされたアップリンク共有チャネルを通してアップリンクデータと共に前記基地局に伝送される
ことを特徴とする請求項１２に記載の端末装置。
【請求項１５】
前記第１のテーブルは、ＦＤＤ−ＴＤＤ ＣＡ状況で前記ＦＤＤモードのプライマリーセルのために設定され、ＣＳＩ伝送周期として｛２，５，１０，２０，４０，８０，１６０，３２，６４，１２８｝を含む
ことを特徴とする請求項９又は請求項１２に記載の装置。
【請求項１６】
前記第２のテーブルは、ＦＤＤ−ＴＤＤ ＣＡ状況で前記ＴＤＤモードのプライマリーセルのために設定され、ＣＳＩ伝送周期として｛１，５，１０，２０，４０，８０，１６０｝を含む
ことを特徴とする請求項９又は請求項１２に記載の装置。
【発明の詳細な説明】
【技術分野】
【０００１】
本発明は、セルラー(cellular)無線通信システムにおける端末が基地局にチャネル状態情報(Channel Status Information:ＣＳＩ）の報告(reporting)を実行する方法及び装置に関する。
【背景技術】
【０００２】
無線通信システムは、初期に提供した音声中心のサービスから、データサービス及びマルチメディアサービスを提供するために高速、高品質の無線パケットデータ通信システムに発展している。
【０００３】
３ＧＰＰ(３-rd Generation Partnership Project)、３ＧＰＰ２(３-rd  Generation  Partnership  Project２)、ＩＥＥＥ(Institute of Electrical and Electronics Engineers)のような通信標準団体では、ＨＳＰＡ(High Speed Packet Access)、ＬＴＥ(Long Term Evolution)、ＬＴＥ−Ａ(Long Term Evolution Advanced)、ＨＲＰＤ(High Rate Packet Data)、ＵＭＢ(Ultra Mobile Broadband)、８０２．１６ｅなどの多様な移動通信標準を開発して高速及び高品質のパケットデータサービスを実現している。
【０００４】
広域無線通信システムの代表的な例のＬＴＥシステムで、ダウンリンク(Downlink）は、ＯＦＤＭ(Orthogonal Frequency Division Multiplexing)方式を採用し、アップリンク(Uplink）は、ＳＣ−ＦＤＭＡ(Single Carrier Frequency Division Multiple Access)方式を採用している。上記のような多重接続方式は、通常、各ユーザ別にデータ又は制御情報を載せて送る時間-周波数リソースが相互に重ならないように、すなわち、ユーザ間に直交性(Orthogonality）が成立するように、リソースを割当及び運用することによって各ユーザ別データ又は制御情報を区分する。
【０００５】
広域無線通信システムにおける高速の無線データサービスを提供するための重要技術の一つは、拡張性帯域幅(scalable bandwidth）のサポートである。例えば、ＬＴＥシステムのシステム伝送帯域は、２０／１５／１０／５／３／１．４ＭＨｚなどの多様な帯域幅を有することが可能であり、サービス事業者は、多様な帯域幅の中で特定の帯域幅を選択してサービスを提供できる。端末も最大２０ＭＨｚ帯域幅をサポートできるものから、最小１．４ＭＨｚ帯域幅だけをサポートするものなど、多様な種類が存在できる。特に、ＬＴＥ−Ａシステムは、複数のコンポーネントキャリア(component carriers:ＣＣｓ)を通して端末をサービスするキャリアアグリゲーション(Carrier Aggregation;ＣＡ)を通して、最大１００ＭＨｚ帯域幅に達する広域のサービスを提供できる。
【０００６】
ＬＴＥ及びＬＴＥ−Ａシステムは、ＦＤＤ(Frequency Division Duplex)方式とＴＤＤ(Time Division Duplex)方式の両方をサポートできる。ＦＤＤ方式は、ダウンリンクとアップリンクに各々別途の周波数を使用する一方、ＴＤＤ方式は、ダウンリンク及びアップリンクに共通の周波数を使用しつつ、時間領域でアップリンク信号とダウンリンク信号の送受信を区分する。
【０００７】
キャリアアグリゲーションをサポートする既存の移動通信システムは、それぞれのコンポーネントキャリア(component carrier)に同一のデュプレックス(duplex)方式を適用しなければならない制約条件を有している。すなわち、ＦＤＤ方式を適用するコンポーネントキャリアだけが結合されるか、又は、ＴＤＤ方式を適用するコンポーネントキャリアだけが結合される。端末に対して構成されたコンポーネントキャリアが相異なるデュプレックス方式を使用する場合、コンポーネントキャリア別に端末がアップリンク伝送を実行できるタイミングが相異なる。したがって、ＦＤＤ方式を適用するセルとＴＤＤ方式を適用するセルを結合して運用できるキャリアアグリゲーションシステムのために、端末が基地局にチャネル状態情報（ＣＳＩ）を効果的に報告するための技術が必要である。
【発明の概要】
【発明が解決しようとする課題】
【０００８】
本発明は、無線通信システムにおける基地局がダウンリンクデータを効率的に伝送できるようにする端末のＣＳＩ報告方法及び装置を提供する。
【０００９】
本発明は、キャリアアグリゲーションをサポートする通信システムにおける端末がＣＳＩを効率的に報告する方法及び装置を提供する。
【００１０】
本発明は、相異なる二重化モードのコンポーネントキャリアのキャリアアグリゲーションをサポートする通信システムにおける端末が基地局にＣＳＩ報告を実行する方法及び装置を提供する。
【００１１】
本発明は、相異なる二重化モードのセルのキャリアアグリゲーションが構成された場合に、基地局が端末のセカンダリーセルのためのＣＳＩ伝送周期を決定する方法及び装置を提供する。
【００１２】
本発明は、相異なる二重化モードのセルのキャリアアグリゲーションが構成された場合に、端末がセカンダリーセルのＣＳＩを、プライマリーセルを通して周期的に伝送する方法及び装置を提供する。
【課題を解決するための手段】
【００１３】
本発明の一実施形態による方法は、セルラー無線通信システムにおけるチャネル状態受信方法であって、端末に対して第１の二重化モードのプライマリーセルと第２の二重化モードのセカンダリーセルのキャリアアグリゲーションを設定するステップと、上記第１の二重化モードに対して定められたチャネル状態情報（ＣＳＩ）伝送周期の第１集合に基づいて、上記セカンダリーセルのＣＳＩ伝送周期を決定するステップと、上記決定されたＣＳＩ伝送周期に対する情報を上記端末に伝送するステップと、を含む。
【００１４】
本発明の一実施形態による方法は、セルラー無線通信システムにおける端末によるチャネル状態（ＣＳＩ）報告方法であって、第１の二重化モードのプライマリーセルと第２の二重化モードのセカンダリーセルのキャリアアグリゲーションを設定する設定情報を基地局から受信するステップと、上記セカンダリーセルの周期的ＣＳＩ報告のためのＣＳＩ伝送周期を示す情報を上記基地局から受信するステップと、上記ＣＳＩ伝送周期によって上記セカンダリーセルのＣＳＩを上記基地局に報告するステップと、を含み、上記セカンダリーセルのＣＳＩ伝送周期は、上記第１の二重化モードに対して定められたチャネル状態情報（ＣＳＩ）伝送周期の第１集合に基づいて決定される。
【００１５】
本発明の一実施形態による装置は、セルラー無線通信システムにおけるチャネル状態報告を制御する基地局装置であって、端末に対して第１の二重化モードのプライマリーセルと第２の二重化モードのセカンダリーセルのキャリアアグリゲーションを設定し、上記第１の二重化モードに対して定められたチャネル状態情報（ＣＳＩ）伝送周期の第１集合に基づいて上記セカンダリーセルのＣＳＩ伝送周期を決定する制御器と、上記決定されたＣＳＩ伝送周期に対する情報を上記端末に伝送する送信部と、を含む。
【００１６】
本発明の一実施形態による装置は、セルラー無線通信システムにおけるチャネル状態（ＣＳＩ）を報告する端末装置であって、第１の二重化モードのプライマリーセルと第２の二重化モードのセカンダリーセルのキャリアアグリゲーションを設定する設定情報を基地局から受信し、上記セカンダリーセルの周期的ＣＳＩ報告のためのＣＳＩ伝送周期を示す情報を上記基地局から受信する受信部と、上記ＣＳＩ伝送周期によって上記セカンダリーセルのＣＳＩを上記基地局に報告する送信部と、を含み、上記セカンダリーセルのＣＳＩ伝送周期は、上記第１の二重化モードに対して定められたチャネル状態情報（ＣＳＩ）伝送周期の第１集合に基づいて決定される。
【図面の簡単な説明】
【００１７】
【図１】ＬＴＥシステムにおいて、アップリンク時間-周波数リソース領域の基本構造を示す図である。
【図２】キャリアアグリゲーションをサポートするＬＴＥ−Ａシステムのシステム構成の一例を示す図である。
【図３】ＬＴＥ ＴＤＤシステムのスペシャルサブフレームの構造を示す図である。
【図４】ＣＡが適用されるセルが相異なるデュプレックス方式を使用する場合、アップリンク報告のためのタイミングを説明する図である。
【図５ａ】本発明の一実施形態によってＣＳＩ伝送周期が２サブフレームである場合の動作の一例を示す図である。
【図５ｂ】本発明の一実施形態によってＣＳＩ伝送周期が２サブフレームである場合の動作の一例を示す図である。
【図６ａ】本発明の一実施形態によってＣＳＩ伝送周期が２サブフレームである場合の動作の他の例を示す図である。
【図６ｂ】本発明の一実施形態によってＣＳＩ伝送周期が２サブフレームである場合の動作の他の例を示す図である。
【図７】本発明の一実施形態によってＣＳＩ伝送周期が５サブフレームである場合の動作の一例を示す図である。
【図８ａ】本発明の一実施形態によってＣＳＩ伝送周期が３２サブフレームである場合の動作の一例を示す図である。
【図８ｂ】本発明の一実施形態によってＣＳＩ伝送周期が３２サブフレームである場合の動作の一例を示す図である。
【図９ａ】本発明の一実施形態によってＣＳＩ伝送周期が６４サブフレームである場合の動作の一例を示す図である。
【図９ｂ】本発明の一実施形態によってＣＳＩ伝送周期が６４サブフレームである場合の動作の一例を示す図である。
【図１０ａ】本発明の一実施形態によってＣＳＩ伝送周期が１２８サブフレームである場合の動作の一例を示す図である。
【図１０ｂ】本発明の一実施形態によってＣＳＩ伝送周期が１２８サブフレームである場合の動作の一例を示す図である。
【図１１】本発明の一実施形態によるＣＳＩ伝送周期の設定動作を示す図である。
【図１２】本発明の他の実施形態によるＣＳＩ伝送周期の設定動作を示す図である。
【図１３】本発明の他の実施形態によるＣＳＩ伝送周期の設定動作を示す図である。
【図１４】本発明の一実施形態による端末のＣＳＩ報告動作を示す図である。
【図１５】本発明の一実施形態による端末送信装置の構成を示す図である。
【図１６】本発明の一実施形態による基地局受信装置の構成を示す図である。
【発明を実施するための形態】
【００１８】
以下、本発明の実施形態を添付図面と共に詳細に説明する。また、本発明を説明するにあたり、関連した公知機能又は構成に対する具体的な説明が本発明の要旨を不必要にすると判断された場合は、その詳細な説明は省略する。また、後述する用語は、本発明での機能を考慮して定義された用語であって、これは、ユーザ、運用者の意図または慣例などによって変更できる。したがって、その定義は、本明細書の全般にかける内容に基づいてなされるべきである。
【００１９】
以下、Ｅ−ＵＴＲＡ(Evolved ＵＭＴＳ(Universal Mobile Telecommunications System)Terrestrial Radio Access)(又はＬＴＥと称する)又はAdvanced Ｅ−ＵＴＲＡ(又はＬＴＥ−Ａと称する)システムを例として本発明の実施形態を説明するが、本発明がこのような特定システムに限定されるのではなく、類似の技術的背景及び/またはチャネル形態を有する他の通信システムにも本発明の実施形態が適用できることは明らかである。また、本発明の実施形態は、熟練された技術的知識を有する者の判断で本発明の範囲を逸脱しない範囲で一部変形を通して他の通信システムにも適用されることができる。
【００２０】
本明細書で、基地局(Node B:ＮＢ）は、端末のリソース割当を実行するエンティティとして、eNodeB(ｅＮＢ)、ＢＳ(Base Station)、無線接続ユニット、基地局制御器、またはネットワーク上のノードのうち少なくとも一つであってもよい。また、端末(User Equipment:ＵＥ）は、ＭＳ(Mobile Station)、セルラーフォン、スマートフォン、コンピュータ、または通信機能を実行できるマルチメディアシステムであってもよい。
【００２１】
図１は、ＬＴＥシステムにおけるアップリンク時間-周波数リソース領域の基本構造を示す。アップリンク(Uplink:ＵＬ）は、端末が基地局にデータ又は制御信号を伝送できる無線リンクを意味し、ダウンリンク(Downlink:ＤＬ）は、基地局が端末にデータ又は制御信号を伝送できる無線リンクを意味する。
【００２２】
図１を参照すると、図示された２次元無線リソース領域で、横軸は、時間領域を示し、縦軸は周波数領域を示す。時間領域での最小伝送単位は、ＳＣ−ＦＤＭＡシンボルであり、Ｎsymb１０２個のＳＣ−ＦＤＭＡシンボルが集まって一つのスロット１０６を構成し、２個のスロットが集まって一つのサブフレーム１０５を構成し、１０個のサブフレームが集まって一つのラジオフレーム１０７を構成する。スロット１０６の長さは、０．５ｍｓであり、サブフレームの長さは１．０msであり、ラジオフレーム１０７の長さは１０ｍｓである。周波数領域での最小伝送単位はサブキャリアである。
【００２３】
時間-周波数領域で、リソースの基本単位はリソースエレメント(Resource Element;ＲＥ)１１２であり、各ＲＥ１１２は、ＳＣ−ＦＤＭＡシンボルインデックス及びサブキャリアインデックスにより定義される。リソースブロック(Resource Block:ＲＢ)１０８(又は、Physical Resource Block:ＰＲＢ）は、時間領域でＮsymb個の連続するＳＣ−ＦＤＭＡシンボル１０２と周波数領域でＮRBSC個の連続するサブキャリア１１０で定義される。したがって、一つのＲＢ１０８は、Ｎsymb×ＮRBSC個のＲＥ１１２で構成される。一般的にデータの最小伝送単位は、ＲＢであり、システム伝送帯域は、合計ＮRB個のＲＢで構成される。また、全体システム伝送帯域は、合計ＮRB×ＮRBSC個のサブキャリア１０４で構成される。ＬＴＥシステムで、一般的にＮsymb＝７、ＮRBSC＝１２であり、場合によって他の値に設定されてもよい。
【００２４】
ＬＴＥシステムは、伝送効率を改善するために適応変調及び符号(Adaptive Modulation and Coding、以下、ＡＭＣ)方式とチャネル感応スケジューリング(channel  sensitive scheduling)方式などの技術を利用する。ＡＭＣ方式を活用すると、送信器は、チャネル状態によって伝送するデータの量を調節できる。すなわち、チャネル状態がよくなければ、送信器は、伝送するデータの量を減らして受信エラー確率を望みのレベルに合せる。また、チャネル状態が良ければ、送信器は、伝送するデータの量を増やして受信エラー確率を望みのレベルに合せながらも多くの情報を効果的に伝送できる。チャネル感応スケジューリングリソース管理方法を活用すると、送信器は、多様なユーザのうちチャネル状態が優秀なユーザを選択的にサービスするので、送信器で各ユーザにチャネルを割り当ててサービスすることに比べて移動通信システムの無線システム容量を増加させることができる。このような容量増加をいわゆる多重ユーザダイバーシティ(Multi-user Diversity)利得と称する。要するに、ＡＭＣ方式とチャネル感応スケジューリング方式は、受信器から部分的なチャネル状態情報のフィードバック(feedback)を受けて最も効率的であると判定される時点に適切な変調及び符号技法を適用する方法である。
【００２５】
ＡＭＣ方式は、多重アンテナ入出力(Multiple Input Multiple Output;ＭＩＭＯ)方式と共に使用される場合、信号が伝送される空間階層(spatial layer）の個数(またはランク(rank))、プレコーディング(precoding)などを決定する機能を含むことができる。この場合、ＡＭＣ方法は、最適のデータ率(data rate)を決定するために単純に符号化率と変調方式だけを考慮することではなく、ＭＩＭＯを利用して幾つかの伝送階層が使用されるかを共に決定する。
【００２６】
ＡＭＣ動作をサポートするために、端末は、基地局にチャネル状態情報（ＣＳＩ）報告動作を実行しなければならない。ＣＳＩは、ＣＱＩ(Channel Quality Indicator)、ＰＭＩ(Precoding Matrix Indicator)またはＲＩ(Rank Indicator)のうち少なくとも何れか一つを含むことができる。ＣＱＩは、システム全帯域(wideband)又は一部帯域(subband)に対する信号対干渉及び雑音比(Signal to Interference and Noise Ratio:ＳＩＮＲ)を示す。このようなＣＱＩは、一般的に要求されるデータ受信性能を満足させるためのＭＣＳ(Modulation and Coding Scheme)の形態で表現される。ＰＭＩは、ＭＩＭＯをサポートするシステムで基地局が多重アンテナを通してデータを伝送する時に必要なプレコーディング情報を提供する。ＲＩは、ＭＩＭＯをサポートするシステムで基地局が多重アンテナを通してデータを伝送する時に必要なランク情報を提供する。ＣＳＩは、基地局のスケジューリング判定を助けるために端末が基地局に提供する情報であり、基地局は、ＣＳＩに基づいて実際データ伝送に適用するＭＣＳ、プレコーディング、ランクなどの情報を判定できる。
【００２７】
端末は、基地局との事前の約束によりＣＳＩを一定の時間間隔によって周期的に伝送できるが、これを‘周期的ＣＳＩ報告’(periodic CSI reporting)と称する。基地局は、端末の‘周期的ＣＳＩ報告’のために必要な制御情報、例えば、ＣＳＩ伝送周期、ＣＳＩ伝送リソースなどを端末にシグナリングを通して報告する。‘周期的ＣＳＩ報告’の場合、端末は基本的にＣＳＩをアップリンク制御チャネルであるＰＵＣＣＨ(Physical Uplink Control Channel)を通して基地局に伝送する。例外的に、‘周期的ＣＳＩ報告’のためのＣＳＩが伝送されるべき時点に端末がアップリンクデータ伝送用チャネルであるＰＵＳＣＨ(Physical Uplink Shared Channel)伝送を実行すべきである場合、端末は、ＣＳＩをアップリンクデータと多重化してＰＵＳＣＨを通して基地局に伝送できる。
【００２８】
‘周期的ＣＳＩ報告’と異なって、基地局は、必要によって端末に‘非周期的ＣＳＩ報告’(aperiodic CSI reporting）をリクエストできる。基地局は‘非周期的ＣＳＩ報告リクエスト制御情報’を、端末のアップリンクデータをスケジューリングする制御チャネルを通して端末に伝送する。上記‘非周期的ＣＳＩ報告リクエスト制御情報’を通して‘非周期的ＣＳＩ報告'のリクエストを受けた端末は、ＰＵＳＣＨを通して基地局にＣＳＩ報告を実行する。
【００２９】
ＬＴＥシステムは、端末又は基地局がデータ伝送で復号失敗が発生した場合、物理階層で該当データを再伝送するＨＡＲＱ(Hybrid Automatic Repeat reQuest)方式を採用している。ＨＡＲＱ方式で、受信器は、データを正確に復号できない場合、送信器に復号失敗を報告する情報であるＨＡＲＱ ＮＡＣＫ(Negative Acknowledgement)を伝送して送信器が物理階層で該当データを再伝送できるようにする。また、受信器は、送信器が再伝送したデータを既存に復号失敗したデータと結合してデータ受信性能を高める。また、受信器は、データを正確に復号した場合、復号成功を報告する情報であるＨＡＲＱ ＡＣＫ(Acknowledgement)を伝送して送信器が新たなデータを伝送できるようにする。
【００３０】
端末が基地局にフィードバックするＨＡＲＱ ＡＣＫ／ＮＡＣＫ、ＣＳＩなどの制御情報をＵＣＩ(Uplink Control Information)と称する。ＬＴＥシステムでＵＣＩは、制御情報専用のアップリンク制御チャネルであるＰＵＣＣＨを通して基地局に伝送されるか、又はアップリンクデータ伝送用物理チャネルであるＰＵＳＣＨを通してアップリンクデータと多重化されて基地局に伝送される。
【００３１】
広域無線通信システムで高速の無線データサービスを提供するために重要な一つは、拡張性帯域幅(scalable bandwidth）のサポートである。例えば、ＬＴＥシステムのシステム伝送帯域は、２０／１５／１０／５／３／１．４ＭＨｚなどの多様な帯域幅を有することが可能であり、サービス事業者は多様な帯域幅の中で特定の帯域幅を選択してサービスを提供できる。また、端末は、その種類によって最大２０ＭＨｚ帯域幅をサポートできるか又は１．４ＭＨｚ帯域幅だけをサポートできる。
【００３２】
ＬＴＥ−Ａシステムは、高速のデータ伝送のためにＬＴＥシステムより広い帯域幅を必要とする。またＬＴＥ−ＡシステムがＬＴＥ端末に対する互換性(backward compatibility）を提供することも重要であり、ＬＴＥ端末もＬＴＥ−Ａシステムに接続してサービスを受ける必要がある。そのためにＬＴＥ−Ａシステムは、全体システム帯域をＬＴＥ端末が送信又は受信できる帯域幅のコンポーネントキャリア(component carrier;ＣＣ)又はサブバンド(subband）に分けて、いくつかのコンポーネントキャリアを結合して端末をサービスできる。ＬＴＥ−Ａシステムは、各コンポーネントキャリア別にデータを伝送し、各コンポーネントキャリア別に既存ＬＴＥシステムの送受信プロセスを実行することで高速データ伝送をサポートできる。このようにＬＴＥ−Ａシステムは、ＬＴＥキャリアを結合するキャリアアグリゲーション(Carrier Aggregation;ＣＡ)技術を通して、最大１００ＭＨｚ帯域幅に達する広域のサービスを提供できる。
【００３３】
図２は、キャリアアグリゲーションをサポートするＬＴＥ−Ａシステムのシステム構成の一例を示す図である。
図２を参照すると、基地局２０２は、２個のコンポーネントキャリア(ＣＣ＃１、ＣＣ＃２）の結合をサポートし、ＣＣ＃１は、周波数ｆ１で構成され、ＣＣ＃２は、ｆ１と相異なる周波数ｆ２で構成される。ＣＣ＃１とＣＣ＃２は、一つの基地局２０２に備われる。基地局２０２は、それぞれのコンポーネントキャリアに対応するカバレッジ２０４、２０６を提供する。キャリアアグリゲーションをサポートするＬＴＥ−Ａシステムで、基本的にデータ伝送及びデータ伝送をサポートするための制御情報伝送は、該当コンポーネントキャリア別に各々実行される。本明細書では、別途言及しない限り、セルは、コンポーネントキャリアと同一の意味を有することができる。図２の構成は、ダウンリンクキャリアアグリゲーションだけでなく、アップリンクキャリアアグリゲーションに対しても同様に適用可能である。
【００３４】
キャリアアグリゲーションシステムでそれぞれのコンポーネントキャリアは、プライマリーセル(Primary Cell:Ｐcell)又はセカンダリーセル(Secondary Cell:Ｓcell）に区分される。Ｐcellは、端末に基本的な無線リソースを提供し、端末が初期接続及びハンドオーバなどの動作を実行することに基準になるセルを意味する。Ｐcellは、ダウンリンクプライマリ周波数(又はプライマリコンポーネントキャリア(Primary Component Carrier:ＰＣＣ))とアップリンクプライマリ周波数で構成される。端末は、基地局にフィードバックするＨＡＲＱ ＡＣＫ／ＮＡＣＫ又はＣＳＩなどを含むＵＣＩを、ＰＵＣＣＨを通して伝送するが、ＰＵＣＣＨは、Ｐcellを通してのみ伝送されることができる。また、Ｓcellは、端末に追加的な無線リソースを提供するセルであり、ダウンリンクセカンダリー周波数(又はセカンダリーコンポーネントキャリア(Secondary Component Carrier:ＳＣＣ))とアップリンクセカンダリー周波数で構成されるか又はダウンリンクセカンダリー周波数のみで構成される。
【００３５】
ＬＴＥ及びＬＴＥ−Ａシステムは、各セルに対してＦＤＤ(Frequency Division Duplex)方式とＴＤＤ(Time Division Duplex)方式をサポートできる。ＦＤＤ方式はダウンリンクとアップリンクに各々別途の周波数を使用する一方、ＴＤＤ方式は、ダウンリンク及びアップリンクに共通の周波数を使用するが、時間領域でアップリンク信号とダウンリンク信号の送受信を区分して運用する。ＬＴＥ及びＬＴＥ−Ａシステムは、ＴＤＤ方式でサブフレーム別にアップリンク又はダウンリンク信号を区分して伝送する。したがって、アップリンク及びダウンリンクのトラフィック負荷(traffic load)によって、アップ/ダウンリンク用サブフレームを時間領域で均等に分割して運用するか、または、ダウンリンクにより多くのサブフレームを割り当てて運用するか、又はアップリンクにより多くのサブフレームを割り当てて運用してもよい。
【００３６】
下記の＜表１＞は、ＬＴＥに定義されたＴＤＤアップリンク−ダウンリンク設定(ＴＤＤuplink-downlink(UL-DL)configurations）を示す。
【００３７】
【表１】
0006619344.tif 000002
【００３８】
＜表１＞に示すように一つのラジオフレームを構成する１０個のサブフレームの各々は、基地局により定められるアップリンク−ダウンリンク設定によって‘Ｄ’、‘Ｕ’、‘Ｓ’のうち一つとして動作する。ここで‘Ｄ’は、ダウンリンク伝送用として設定されたサブフレームを示し、‘Ｕ’はアップリンク伝送用として設定されたサブフレームを示し、‘Ｓ’はＤｗＰＴＳ(Downlink Pilot Time Slot)、ＧＰ(Guard Period)、ＵｐＰＴＳ(Uplink Pilot Time Slot)で構成されるスペシャルサブフレーム(Special subframe）を示す。ＤｗＰＴＳでは、一般的なダウンリンクサブフレームと同様にダウンリンク制御情報伝送が可能であり、スペシャルサブフレーム設定によってＤｗＰＴＳの長さが十分に長い場合、ダウンリンクデータ伝送も可能である。ＧＰは、ダウンリンクからアップリンクへの遷移を受容する区間でネットワーク設定などによって長さが定められる。ＵｐＰＴＳは、一つ又は二つのＳＣ−ＦＤＭＡシンボルで構成され、基地局がアップリンクチャネル状態を推定するために必要な端末のＳＲＳ(Sounding Reference Signal)伝送又はランダムアクセスのための端末のランダムアクセスプリアンブル伝送に使用される。
【００３９】
図３は、ＬＴＥ ＴＤＤシステムにおけるスペシャルサブフレームの構造を示す図である。
図３を参照すると、スペシャルサブフレームは、一般サブフレームと同様に１ｍｓの長さであり、基地局により与えられるスペシャルサブフレーム設定によって、ＤｗＰＴＳ３０１は、３乃至１２個のＯＦＤＭシンボルで構成され、ＵｐＰＴＳ３０３は、１乃至２個のＳＣ−ＦＤＭＡシンボルで構成され、ＧＰ３０２は、１ｍｓからＤｗＰＴＳ３０１及びＵｐＰＴＳ３０３の長さを引いた残りの時間区間で構成される。スペシャルサブフレームは、＜表１＞に示すようにＴＤＤアップリンク−ダウンリンク設定によってサブフレーム#１またはサブフレーム#６の位置に設定されてもよい。
【００４０】
例えば、ＴＤＤアップリンク−ダウンリンク設定#６の場合、サブフレーム＃０、#５、#９にダウンリンクデータ及び制御情報伝送が可能であり、サブフレーム#２、#３、#４、#７、#８にアップリンクデータ及び制御情報伝送が可能である。また、スペシャルサブフレームに該当するサブフレーム#１、#６では、ダウンリンク制御情報と、場合によっては、ダウンリンクデータの伝送が可能であり、アップリンクでは、ＳＲＳ又はランダムアクセスプリアンブル伝送が可能である。
【００４１】
上述したＴＤＤアップリンク−ダウンリンク設定は、コンポーネントキャリア別に、すなわちセル別に適用される。しかし、キャリアアグリゲーションが適用されるコンポーネントキャリア(すなわち、ＣＡセル）が相異なるデュプレックス方式を使用する場合、セル別に端末がアップリンク伝送を実行できるサブフレームの位置が相異なることがある。
【００４２】
図４は、ＣＡが適用されるセルが相異なるデュプレックス方式を使用する場合、アップリンク報告のためのタイミングの一例を説明するための図である。
図４を参照すると、端末に対してＣＡで動作するＰcell４０１とＳcell４０２が構成され、Ｐcell４０１は、ＴＤＤモードで運用され、Ｓcell４０２は、ＦＤＤモードで運用される。Ｐcell４０１は、ＴＤＤモードで動作する周波数ｆ１４０３で構成され、Ｓcell４０２は、ＦＤＤモードで動作するために、アップリンク周波数ｆ２４０５とダウンリンク周波数ｆ３４０４で構成される。Ｐcell４０１は、上述した＜表１＞のＴＤＤアップリンク−ダウンリンク設定のうちＴＤＤアップリンク−ダウンリンク設定＃４で動作する。
ＬＴＥ−Ａシステムでキャリアアグリゲーションが適用される場合、各セルに対する‘周期的ＣＳＩ報告’の報告周期は各セル別に独立的に設定可能である。
【００４３】
ＬＴＥ及びＬＴＥ−ＡシステムでＦＤＤセルの場合、‘周期的ＣＳＩ報告’のためのＣＳＩ伝送周期(Ｎpd）は、｛２，５，１０，２０，４０，８０，１６０，３２，６４，１２８}のうちの一つとして設定され、ＴＤＤセルの場合、‘周期的ＣＳＩ報告’のためのＣＳＩ伝送周期(Ｎpd）は、｛１、５，１０，２０，４０，８０，１６０}のうちの一つとして設定されてもよい。ＣＳＩ伝送周期の単位はサブフレームである。基地局は、端末に‘周期的ＣＳＩ報告’のためにＣＳＩ伝送周期(Ｎpd)と、ラジオフレーム内での‘周期的ＣＳＩ報告'が可能なサブフレームの位置を示すサブフレームオフセット(ＮOFFSET，CQI)などを端末に予め報告する。
【００４４】
図４の例で、ＣＳＩ伝送周期(Ｎpd)＝５、サブフレームオフセット(ＮOFFSET，CQI)＝０である。また、端末の周期的ＣＳＩ報告は、下記の＜数１＞を満足するサブフレームで可能である。
【００４５】
【数１】
0006619344.tif 000003
【００４６】
ここで、ｎfは、ラジオフレーム番号を示し、nsはラジオフレーム内のスロット番号を示す。一つのサブフレームは２個のスロットで構成されるので、一つのラジオフレームは合計２０個のスロットで構成される。図４の例で、ｎf＝１であれば、Ｓcell４０２のアップリンク周波数４０５の最初のサブフレーム４０８(ｎs＝０または１）は、下記のように上記＜数１＞を満足する。
(１０×１+０-０)mod５＝０
【００４７】
したがって、最初のサブフレーム４０８は、周期的ＣＳＩ報告が可能なサブフレームになる。同様に、５番目のサブフレーム４０９(ns＝１０または１１)も上記＜数１＞を満足するので((１０×１+５-０)mod５＝０)、周期的ＣＳＩ報告が可能なサブフレームになる。
【００４８】
上述した通り、ＵＣＩは、Ｐcell４０１を通してのみ伝送されることができる。しかし、Ｓcell４０２の最初のサブフレーム４０８と５番目のサブフレーム４０９に対応するＰcell４０１のサブフレーム(４１０、４１３）は、全てダウンリンクサブフレームであり、端末がサブフレーム(４１０、４１３)でＰcell４０１を通して基地局に‘周期的ＣＳＩ報告’を実行できない。すなわち、図４の例でＳcell４０２の周期的ＣＳＩ報告がＣＳＩ伝送周期(Ｎpd)＝５、サブフレームオフセット(ＮOFFSET，CQI)＝０である場合、端末は、Ｓcell ４０２に対する‘周期的ＣＳＩ報告’を実行することができない。
【００４９】
図４の場合、端末は、Ｐcell４０１のアップリンクサブフレーム(４１１、４１２、４１４、４１５)内でのみ‘周期的ＣＳＩ報告’を実行することができる。
【００５０】
以下では、以上のようにＦＤＤ方式を適用するセルとＴＤＤ方式を適用するセルを結合して運用するキャリアアグリゲーションシステムで、端末が基地局に‘周期的ＣＳＩ報告’を実行するための実施形態を説明する。
【００５１】
＜第１の実施形態＞
ＦＤＤ方式を適用するセルとＴＤＤ方式を適用するセルを結合して運用するキャリアアグリゲーションシステムで、ＴＤＤセルは、周波数ｆ１で構成されてＰcellとして動作し(以下、上記ＴＤＤセルをＴＤＤ Ｐcellと称する)、ＦＤＤセルは、アップリンク周波数ｆ２とダウンリンク周波数ｆ３で構成されてＳcellとして動作する場合(以下、上記ＦＤＤセルをＦＤＤ Ｓcellと称する)、ＦＤＤ Ｓcellに対する‘周期的ＣＳＩ報告’をＴＤＤ Ｐcellを通して実行する具体的な動作を説明する。
【００５２】
第１の実施形態は、ＴＤＤ ＰcellのＴＤＤアップリンク−ダウンリンク設定によってＦＤＤ Ｓcellに対して設定可能なＣＳＩ伝送周期(Ｎpd)を制限する。すなわち、ＴＤＤ ＰcellのＴＤＤアップリンク−ダウンリンク設定によって、既存ＬＴＥ及びＬＴＥ−ＡシステムでＦＤＤセルに対して設定可能なＣＳＩ伝送周期(Ｎpd)である{２，５，１０，２０，４０，８０，１６０，３２，６４，１２８}の中でＦＤＤ Ｓcellとして適用できるＣＳＩ伝送周期が選択される。
【００５３】
図５(図５ａと図５ｂで構成される)は、本発明の一実施形態によってＣＳＩ伝送周期が２サブフレームである場合の動作の一例を示す図である。図示される例は、ＦＤＤ ＳcellのＣＳＩ伝送周期(Ｎpd)＝２サブフレーム、サブフレームオフセット(ＮOFFSET，CQI)＝０、２、４、…である偶数である場合、ＴＤＤ ＰcellのそれぞれのＴＤＤアップリンク−ダウンリンク設定によってＦＤＤ ＳcellがＮpd＝２をサポート可能であるか否かを示す。
【００５４】
図５において、ＴＤＤアップリンク−ダウンリンク設定＃０の場合、＜数１＞にＮpd＝２，ＮOFFSET，CQI＝偶数を適用すると、＜数１＞を満足するサブフレームは、ラジオフレーム＃ｋ ５７０のサブフレーム＃０、＃２、＃４、＃６、＃８(５００、５０１、５０２、５０３、５０４)及びラジオフレーム＃ｋ+１ ５７１のサブフレーム＃０、＃２、＃４、＃６、＃８(５０５、５０６、５０７、５０８、５０９)になる。この中で、端末のアップリンク信号伝送は、ＵＬサブフレームのみで可能であるため、＜数１＞を満足するＵＬサブフレームであるラジオフレーム＃ｋ ５７０のサブフレーム#２、#４、#８(５０１、５０２、５０４)及びラジオフレーム＃ｋ+１ ５７１のサブフレーム#２、#４、#８(５０６、５０７、５０９)で端末の周期的ＣＳＩ報告が可能である。＜数１＞を満足するＵＬサブフレームの中で、端末の周期的ＣＳＩ報告が可能な隣接サブフレーム間の間隔ｄは、サブフレーム#２ ５０１とサブフレーム#４ ５０２との間に２サブフレーム、サブフレーム#４ ５０２とサブフレーム#８ ５０４との間に４サブフレーム、…であり、少なくともＣＳＩ伝送周期(Ｎpd)＝２を最小限一度は満足する。すなわち、ＴＤＤアップリンク−ダウンリンク設定＃０で運営されるＴＤＤ Ｓcellは、ＦＤＤ ＳcellのためＣＳＩ伝送周期を部分的にサポートできる。
【００５５】
このような場合、ＴＤＤアップリンク−ダウンリンク設定＃０で運営されるＴＤＤ Ｓcellは、ＦＤＤ ＳcellのＣＳＩ伝送周期(Ｎpd)＝２サブフレーム、サブフレームオフセット(ＮOFFSET，CQI)＝偶数である‘周期的ＣＳＩ報告’をサポートするように定義される。周期的ＣＳＩ報告が可能であるか否かを判定する条件を一般化すると、下記の＜数２＞のようになる。
【００５６】
【数２】
0006619344.tif 000004
【００５７】
ここで、ｄijは、特定ＴＤＤアップリンク−ダウンリンク設定に対して周期的ＣＳＩ報告が可能な隣接したサブフレーム＃ｉとサブフレーム＃ｊとの間の間隔を示し、min(x）はｘの最小値を示す。
【００５８】
図５を参照すると、ＴＤＤ ＰcellがＴＤＤアップリンク−ダウンリンク設定#１を有する場合、端末はラジオフレーム＃ｋ ５７０のサブフレーム#２ ５０１→サブフレーム#４ ５０２→サブフレーム#８ ５０４→ラジオフレーム＃ｋ+１ ５７１のサブフレーム#２ ５０６→サブフレーム#４ ５０７→サブフレーム#８ ５０８の順序で‘周期的ＣＳＩ報告’を実行する。
【００５９】
次に、ＴＤＤアップリンク−ダウンリンク設定#１の場合、＜数１＞にＮpd＝２，ＮOFFSET，CQI＝‘偶数’を適用すると、＜数１＞を満足する端末の周期的ＣＳＩ報告が可能なＵＬサブフレームは、ラジオフレーム＃ｋ ５７０のサブフレーム#２、#８ ５１１、５１４及びラジオフレーム＃ｋ+１ ５７１のサブフレーム#２、#８ ５１６、５１９になる。サブフレーム間の間隔ｄは、サブフレーム#２ ５１１とサブフレーム＃８ ５１４との間に６サブフレーム、サブフレーム＃８ ５１４とサブフレーム＃２ ５１６との間に４サブフレーム、…であり、＜数２＞を満足できなく、したがってＴＤＤアップリンク−ダウンリンク設定#１は、ＦＤＤ Ｓcellに対して適用しようとするＣＳＩ伝送周期(Ｎpd)＝２を全く保障できない。
【００６０】
このような場合、ＴＤＤアップリンク−ダウンリンク設定#１で運営されるＴＤＤ Ｐcellは、ＦＤＤ ＳcellのＣＳＩ伝送周期(Ｎpd)＝２サブフレーム、サブフレームオフセット(ＮOFFSET，CQI)＝偶数である‘周期的ＣＳＩ報告’をサポートしないように設定される。
【００６１】
同様に、上記の動作をＴＤＤアップリンク−ダウンリンク設定#２、#３、#４、#５、#６に適用すると、＜数１＞及び＜数２＞を満足するＵＬサブフレームは、ＴＤＤアップリンク−ダウンリンク設定別に次のようになる。
【００６２】
-ＴＤＤアップリンク−ダウンリンク設定#２
＜数１＞を満足するＵＬサブフレーム:ラジオフレーム＃ｋ ５７０のサブフレーム#２ ５２１及びラジオフレーム＃ｋ+１ ５７１のサブフレーム#２ ５２６
＜数２＞を満足するＵＬサブフレーム:なし。
-ＴＤＤアップリンク−ダウンリンク設定#３
＜数１＞を満足するＵＬサブフレーム:ラジオフレーム＃ｋ ５７０のサブフレーム#２、#４ ５３１、５３２及びラジオフレーム＃ｋ+１ ５７１のサブフレーム#２、#４ ５３６、５３７
＜数２＞を満足するＵＬサブフレーム:ラジオフレーム＃ｋ ５７０のサブフレーム#２、#４ ５３１、５３２及びラジオフレーム＃ｋ+１ ５７１のサブフレーム#２、#４ ５３６、５３７
【００６３】
したがって、端末は、ＴＤＤアップリンク−ダウンリンク設定#３のＴＤＤ Ｐcell で、ラジオフレーム＃ｋ ８７０のサブフレーム#２ ５３１→サブフレーム#４ ５３２→ラジオフレーム＃ｋ+１ ５７１のサブフレーム#２ ５３６→サブフレーム#４ ５３７の順序で‘周期的ＣＳＩ報告’を実行する。
【００６４】
-ＴＤＤアップリンク−ダウンリンク設定#４
＜数１＞を満足するＵＬサブフレーム:ラジオフレーム＃ｋ ５７０のサブフレーム#２ ５４１及びラジオフレーム＃ｋ+１ ５７１のサブフレーム#２ ５４６
＜数２＞を満足するＵＬサブフレーム:なし。
-ＴＤＤアップリンク−ダウンリンク設定#５
＜数１＞を満足するＵＬサブフレーム:ラジオフレーム＃ｋ ５７０のサブフレーム#２ ５５１及びラジオフレーム＃ｋ+１ ５７１のサブフレーム#２ ５５６
＜数２＞を満足するＵＬサブフレーム:なし。
-ＴＤＤアップリンク−ダウンリンク設定#６
＜数１＞を満足するＵＬサブフレーム:ラジオフレーム＃ｋ ５７０のサブフレーム#２、#４、#８ ５６１、５６２、５６４及びラジオフレーム＃ｋ+１ ５７１のサブフレーム#２、#４、#８ ５６６、５６７、５６９
＜数２＞を満足するＵＬサブフレーム:ラジオフレーム＃ｋ ５７０のサブフレーム#２、#４、#８ ５６１、５６２、５６４及びラジオフレーム＃ｋ+１ ５７１のサブフレーム#２、#４、#８ ５６６、５６７、５６９
【００６５】
したがって、端末は、ＴＤＤアップリンク−ダウンリンク設定#６のＴＤＤ Ｐcell で、ラジオフレーム＃ｋ ８７０のサブフレーム#２ ５３１→サブフレーム#４ ５３２→サブフレーム#８ ５６４→ラジオフレーム＃ｋ+１ ５７１のサブフレーム#２ ５３６→サブフレーム#４ ５３７→サブフレーム#８ ５６９の順序で‘周期的ＣＳＩ報告’を実行する。
したがって、ＦＤＤ ＳcellのＣＳＩ伝送周期(Ｎpd)＝２は、
ＮOFFSET，CQI＝偶数である時、ＴＤＤ ＰcellのＴＤＤアップリンク−ダウンリンク設定＃０、#３、#６に各々適用されることができる。
【００６６】
図６(図６ａと図６ｂで構成される)は、本発明の一実施形態によってＣＳＩ伝送周期が２サブフレームである場合の動作の他の例を示す図である。図示される例は、ＦＤＤ ＳcellのＣＳＩ伝送周期(Ｎpd)＝２サブフレーム、サブフレームオフセット(ＮOFFSET，CQI)＝奇数である場合、ＴＤＤ ＰcellのＴＤＤアップリンク−ダウンリンク設定によるＮpdをサポート可能であるか否かを示す。
【００６７】
したがって、ＦＤＤ ＳcellのＣＳＩ伝送周期(Ｎpd)＝２は、
ＮOFFSET，CQI＝奇数である時、ＴＤＤ ＰcellのＴＤＤアップリンク−ダウンリンク設定＃０に適用されてもよい。
【００６８】
この場合、端末は、ラジオフレーム＃ｋ ６７０のサブフレーム#３ ６０１→サブフレーム#３ ６０３→サブフレーム#９ ６０４→ラジオフレーム＃ｋ+１ ６７１のサブフレーム#３ ６０６→サブフレーム#３ ６０８→サブフレーム#９ ６０９の順序で‘周期的ＣＳＩ報告’を実行する。
【００６９】
結論的に、ＦＤＤ ＳcellのＣＳＩ伝送周期(Ｎpd)＝２は、ＮOFFSET，CQIが偶数または奇数である場合の両方を考慮すると、ＴＤＤアップリンク−ダウンリンク設定＃０、#３、#６をサポートできる。
【００７０】
図７は、本発明の一実施形態によってＣＳＩ伝送周期が５サブフレームである場合の動作の一例を示す。図示される例は、ＦＤＤ ＳcellのＣＳＩ伝送周期(Ｎpd)＝５サブフレーム、ＮOFFSET，CQI＝任意の値である場合、ＴＤＤ ＰcellのＴＤＤアップリンク−ダウンリンク設定によってＦＤＤ ＳcellがＮpd＝５をサポート可能であるか否かを示す。
【００７１】
図７を参照すると、＜数１＞及び＜数２＞を満足するＵＬサブフレームは、それぞれのＴＤＤアップリンク−ダウンリンク設定別に次のようになる。
【００７２】
-ＴＤＤアップリンク−ダウンリンク設定＃０
＜数１＞を満足するＵＬサブフレーム:ラジオフレーム＃ｋ ７７０のサブフレーム#２、#３、#４、#７、#８、#９(７０２、７０３、７０４、７０７、７０８、７０９)
＜数２＞を満足するＵＬサブフレーム:ラジオフレーム＃ｋ ７７０）のサブフレーム#２、#３、#４、#７、#８、#９(７０２、７０３、７０４、７０７、７０８、７０９)
【００７３】
したがって端末はラジオフレーム＃ｋ ７７０のサブフレーム#２ ７０２→サブフレーム#７ ７０７、又はラジオフレーム＃ｋ ７７０のサブフレーム#３ ７０３→サブフレーム#８ ７０８、又はラジオフレーム＃ｋ ７７０のサブフレーム#４ ７０４→サブフレーム#９ ７０９の順序で‘周期的ＣＳＩ報告’を実行する。
【００７４】
-ＴＤＤアップリンク−ダウンリンク設定#１
＜数１＞を満足するＵＬサブフレーム:ラジオフレーム＃ｋ ７７０のサブフレーム#２、#３、#７、#８(７１２、７１３、７１７、７１８)
＜数２＞を満足するＵＬサブフレーム:ラジオフレーム＃ｋ ７７０のサブフレーム#２、#３、#７、#８(７１２、７１３、７１７、７１８)
【００７５】
したがって、端末は、ラジオフレーム＃ｋ ７７０のサブフレーム#２ ７１２→サブフレーム#７ ７１７、又はラジオフレーム＃ｋ ７７０のサブフレーム#３ ７１３→サブフレーム#８ ７１８の順序で‘周期的ＣＳＩ報告’を実行する。
【００７６】
-ＴＤＤアップリンク−ダウンリンク設定#２
＜数１＞を満足するＵＬサブフレーム:ラジオフレーム＃ｋ ７７０のサブフレーム#２、#７(７２２、７２７)
＜数２＞を満足するＵＬサブフレーム:ラジオフレーム＃ｋ ７７０のサブフレーム#２、#７(７２２、７２７)
【００７７】
したがって、端末は、ラジオフレーム＃ｋ ７７０のサブフレーム#２ ７２２→サブフレーム#７ ７２７の順序で‘周期的ＣＳＩ報告’を実行する。
【００７８】
-ＴＤＤアップリンク−ダウンリンク設定#３
＜数１＞を満足するＵＬサブフレーム:ラジオフレーム＃ｋ ７７０のサブフレーム#２、#３、#４(７３２、７３３、７３４)
＜数２＞を満足するＵＬサブフレーム:なし。
-ＴＤＤアップリンク−ダウンリンク設定#４
＜数１＞を満足するＵＬサブフレーム:ラジオフレーム＃ｋ ７７０のサブフレーム#２、#３(７４２、７４３)
＜数２＞を満足するＵＬサブフレーム:なし。
-ＴＤＤアップリンク−ダウンリンク設定#５
＜数１＞を満足するＵＬサブフレーム:ラジオフレーム＃ｋ ７７０のサブフレーム#２(７５２)
＜数２＞を満足するＵＬサブフレーム:なし。
-ＴＤＤアップリンク−ダウンリンク設定#６
＜数１＞を満足するＵＬサブフレーム:ラジオフレーム＃ｋ ７７０のサブフレーム#２、#３、#４、#７、#８(７６２、７６３、７６４、７６７、７６８)
＜数２＞を満足するＵＬサブフレーム:ラジオフレーム＃ｋ ７７０のサブフレーム#２、#３、#７、#８(７６２、７６３、７６７、７６８)
【００７９】
したがって、端末は、ラジオフレーム＃ｋ ７７０のサブフレーム#２ ７６２→サブフレーム#７ ７６７、又はラジオフレーム＃ｋ ７７０のサブフレーム#３ ７６３→サブフレーム#８ ７６８の順序で‘周期的ＣＳＩ報告’を実行する。
【００８０】
結論的に、ＦＤＤ ＳcellのＣＳＩ伝送周期(Ｎpd)＝５は、
ＴＤＤ ＰcellのＴＤＤアップリンク−ダウンリンク設定＃０、#１、#２、#６に適用されてもよい。
【００８１】
図８(図８ａと図８ｂで構成される)は、本発明の一実施形態によってＣＳＩ伝送周期が３２サブフレームである場合の動作の一例を示す。図示される例は、ＦＤＤ ＳcellのＣＳＩ伝送周期(Ｎpd)＝３２サブフレーム、ＮOFFSET，CQI＝任意の値である場合、ＴＤＤ ＰcellのＴＤＤアップリンク−ダウンリンク設定によってＦＤＤ ＳcellがＮpd＝３２をサポート可能であるか否かを示す。
【００８２】
図８を参照すると、＜数１＞及び＜数２＞を満足するＵＬサブフレームは、それぞれのＴＤＤアップリンク−ダウンリンク設定別に次のようになる。
【００８３】
-ＴＤＤアップリンク−ダウンリンク設定＃０
＜数１＞を満足するＵＬサブフレーム:ラジオフレーム＃ｋ ８８０のサブフレーム#２、#３、#４、#７、#８、#９(８００、８０１、８０２、８０３、８０４、８０５)及びラジオフレーム＃ｋ+３ ８８１のサブフレーム#４、#９ ８０８、８１１
【００８４】
＜数２＞を満足するＵＬサブフレーム:ラジオフレーム＃ｋ ８８０のサブフレーム#２、#７(８００、８０３)及びラジオフレーム＃ｋ+３ ８８１のサブフレーム#４、#９(８０８、８１１)
【００８５】
したがって、端末は、ラジオフレーム＃ｋ ８８０のサブフレーム#２ ８００→ラジオフレーム＃ｋ+３ ８８１のサブフレーム#４ ８０８、又はラジオフレーム＃ｋ８８０のサブフレーム#７ ８０３→ラジオフレーム＃ｋ+３ ８８１のサブフレーム#９ ８１１の順序で‘周期的ＣＳＩ報告’を実行する。
【００８６】
-ＴＤＤアップリンク−ダウンリンク設定#１
＜数１＞を満足するＵＬサブフレーム:ラジオフレーム＃ｋ８８０のサブフレーム#２、#３、#７、#８(８２０、８２１、８２２、８２３)
＜数２＞を満足するＵＬサブフレーム:なし。
-ＴＤＤアップリンク−ダウンリンク設定#２
＜数１＞を満足するＵＬサブフレーム:ラジオフレーム＃ｋ８８０のサブフレーム#２、#７(８３０、８３１)
＜数２＞を満足するＵＬサブフレーム:なし。
-ＴＤＤアップリンク−ダウンリンク設定#３
＜数１＞を満足するＵＬサブフレーム:ラジオフレーム＃ｋ８８０のサブフレーム#２、#３、#４(８４０、８４１、８４２)及びラジオフレーム＃ｋ+３ ８８１のサブフレーム#４ ８４５
＜数２＞を満足するＵＬサブフレーム:ラジオフレーム＃ｋ８８０のサブフレーム#２(８４０、８４１、８４２)及びラジオフレーム＃ｋ+３ ８８１のサブフレーム#４ ８４５
【００８７】
したがって、端末は、ラジオフレーム＃ｋ８８０のサブフレーム#２ ８４０→ラジオフレーム＃ｋ+３ ８８１のサブフレーム#４ ８４５の順序で‘周期的ＣＳＩ報告’を実行する。
【００８８】
-ＴＤＤアップリンク−ダウンリンク設定#４
＜数１＞を満足するＵＬサブフレーム:ラジオフレーム＃ｋ８８０のサブフレーム#２、#３(８５０、８５１)
＜数２＞を満足するＵＬサブフレーム:なし。
-ＴＤＤアップリンク−ダウンリンク設定#５
＜数１＞を満足するＵＬサブフレーム:ラジオフレーム＃ｋ８８０のサブフレーム#２(８６０)
＜数２＞を満足するＵＬサブフレーム:なし。
-ＴＤＤアップリンク−ダウンリンク設定#６
＜数１＞を満足するＵＬサブフレーム:ラジオフレーム＃ｋ８８０のサブフレーム#２、#３、#４、#７、#８(８７０、８７１、８７２、８７３、８７４)及びラジオフレーム＃ｋ+３ ８８１のサブフレーム#４ ８７７
＜数２＞を満足するＵＬサブフレーム:ラジオフレーム＃ｋ８８０のサブフレーム#２ ８７０及びラジオフレーム＃ｋ+３ ８８１のサブフレーム#４ ８７７
【００８９】
したがって端末はラジオフレーム＃ｋ ８８０のサブフレーム#２ ８７０→ラジオフレーム＃ｋ+３ ８８１のサブフレーム#４ ８７７の順序で‘周期的ＣＳＩ報告’を実行する。
【００９０】
結論的に、ＦＤＤ ＳcellのＣＳＩ伝送周期(Ｎpd)＝３２は、
ＴＤＤ ＰcellのＴＤＤアップリンク−ダウンリンク設定＃０、#３、#６に適用されてもよい。
【００９１】
図９(図９ａと図９ｂで構成される)は、本発明の一実施形態によってＣＳＩ伝送周期が６４サブフレームである場合の動作の一例を示す図である。図示される例は、ＦＤＤ ＳcellのＣＳＩ伝送周期(Ｎpd)＝６４サブフレーム、ＮOFFSET，CQI＝任意の値である場合、ＴＤＤ ＰcellのそれぞれのＴＤＤアップリンク−ダウンリンク設定によってＦＤＤ ＳcellがＮpd＝６４をサポート可能であるか否かを示す。
【００９２】
図９を参照すると、＜数１＞及び＜数２＞を満足するＵＬサブフレームは、それぞれのＴＤＤアップリンク−ダウンリンク設定別に次のようになる。
【００９３】
-ＴＤＤアップリンク−ダウンリンク設定＃０
＜数１＞を満足するＵＬサブフレーム:ラジオフレーム＃ｋ ９８１のサブフレーム#２、#３、#４、#７、#８、#９(９００、９０１、９０２、９０３、９０４、９０５)、ラジオフレーム＃ｋ+６ ９８２のサブフレーム#７、#８(９０９、９１０)、またラジオフレーム＃ｋ+７ ９８３のサブフレーム#２、#３(９１２、９１３)
＜数２＞を満足するＵＬサブフレーム:ラジオフレーム＃ｋ ９８１のサブフレーム#３、#４、#８、#９(９０１、９０２、９０４、９０５)、ラジオフレーム＃ｋ+６(９８２）のサブフレーム#７、#８(９０９、９１０)、またラジオフレーム＃ｋ+７ ９８３のサブフレーム#２、#３(９１２、９１３)
【００９４】
したがって、端末は、ラジオフレーム＃ｋ ９８１のサブフレーム#３ ９０１→ラジオフレーム＃ｋ+６ ９８２のサブフレーム#７ ９０９、又はラジオフレーム＃ｋ ９８１のサブフレーム#４ ９０２→ラジオフレーム＃ｋ+６ ９８２のサブフレーム#８ ９１０、又はラジオフレーム＃ｋ ９８１のサブフレーム#８ ９０４→ラジオフレーム＃ｋ+７ ９８３のサブフレーム#２ ９１２、又はラジオフレーム＃ｋ ９８１のサブフレーム#９ ９０５→ラジオフレーム＃ｋ+７ ９８３のサブフレーム#３ ９１３の順序で‘周期的ＣＳＩ報告’を実行する。
【００９５】
-ＴＤＤアップリンク−ダウンリンク設定#１
＜数１＞を満足するＵＬサブフレーム:ラジオフレーム＃ｋ ９８１のサブフレーム#２、#３、#７、#８(９２０、９２１、９２２、９２３)、ラジオフレーム＃ｋ+６ ９８２のサブフレーム#７、#８(９２６、９２７)、またラジオフレーム＃ｋ+７ ９８３のサブフレーム#２、#３(９２８、９２９)
＜数２＞を満足するＵＬサブフレーム:ラジオフレーム＃ｋ ９８１のサブフレーム#３、#８(９２１、９２３)、ラジオフレーム＃ｋ+６ ９８２のサブフレーム#７、(９２６)、また、ラジオフレーム＃ｋ+７ ９８３のサブフレーム#２ ９２８
【００９６】
したがって、端末は、ラジオフレーム＃ｋ ９８１のサブフレーム#３ ９２１→ラジオフレーム＃ｋ+６ ９８２のサブフレーム#７ ９２６、又はラジオフレーム＃ｋ ９８１のサブフレーム#８ ９２３→ラジオフレーム＃ｋ+７ ９８３のサブフレーム#２ ９２８の順序で‘周期的ＣＳＩ報告’を実行する。
【００９７】
-ＴＤＤアップリンク−ダウンリンク設定#２
＜数１＞を満足するＵＬサブフレーム:ラジオフレーム＃ｋ ９８１のサブフレーム#２、#７(９３０、９３１)
＜数２＞を満足するＵＬサブフレーム:なし。
-ＴＤＤアップリンク−ダウンリンク設定#３
＜数１＞を満足するＵＬサブフレーム:ラジオフレーム＃ｋ ９８１のサブフレーム#２、#３、#４(９４０、９４１、９４２)
＜数２＞を満足するＵＬサブフレーム:なし。
-ＴＤＤアップリンク−ダウンリンク設定#４
＜数１＞を満足するＵＬサブフレーム:ラジオフレーム＃ｋ ９８１のサブフレーム#２、#３(９５０、９５１)
＜数２＞を満足するＵＬサブフレーム:なし。
-ＴＤＤアップリンク−ダウンリンク設定#５
＜数１＞を満足するＵＬサブフレーム:ラジオフレーム＃ｋ ９８１のサブフレーム#２(９６０)
＜数２＞を満足するＵＬサブフレーム:なし。
-ＴＤＤアップリンク−ダウンリンク設定#６
＜数１＞を満足するＵＬサブフレーム:ラジオフレーム＃ｋ ９８１のサブフレーム#２、#３、#４、#７、#８(９７０、９７１、９７２、９７３、９７４)、ラジオフレーム＃ｋ+６ ９８２のサブフレーム#７、#８(９７８、９７９)、また、ラジオフレーム＃ｋ+７ ９８３のサブフレーム#２(９８０)
＜数２＞を満足するＵＬサブフレーム:ラジオフレーム＃ｋ ９８１のサブフレーム#３、#４、#８(９７１、９７２、９７４)、ラジオフレーム＃ｋ+６ ９８２のサブフレーム#７、#８(９７８、９７９)、またラジオフレーム＃ｋ+７ ９８３のサブフレーム#２(９８０)
【００９８】
したがって、端末は、ラジオフレーム＃ｋ ９８１のサブフレーム#３ ９７１→ラジオフレーム＃ｋ+６ ９８２のサブフレーム#７ ９７８、又はラジオフレーム＃ｋ ９８１のサブフレーム#４ ９７２→ラジオフレーム＃ｋ+６ ９８２のサブフレーム#８ ９７９、又はラジオフレーム＃ｋ ９８１のサブフレーム#８ ９７４→ラジオフレーム＃ｋ+７ ９８３のサブフレーム#２ ９８０の順序で‘周期的ＣＳＩ報告’を実行する。
【００９９】
結論的に、ＦＤＤ ＳcellのＣＳＩ伝送周期(Ｎpd)＝６４は、
ＴＤＤ ＰcellのＴＤＤアップリンク−ダウンリンク設定＃０、#１、#６に適用されてもよい。
【０１００】
図１０(図１０ａと図１０ｂで構成される)は、本発明の一実施形態によってＣＳＩ伝送周期が１２８サブフレームである場合の動作の一例を示す。図示される例は、ＦＤＤ ＳcellのＣＳＩ伝送周期(Ｎpd)＝１２８サブフレーム、ＮOFFSET，CQI＝任意の値である場合、ＴＤＤ ＰcellのＴＤＤアップリンク−ダウンリンク設定によってＦＤＤ ＳcellがＮpd＝１２８をサポート可能であるか否かを示す。
【０１０１】
図１０を参照すると、＜数１＞及び＜数２＞を満足するＵＬサブフレームは、それぞれのＴＤＤアップリンク−ダウンリンク設定別に次のようになる。
【０１０２】
-ＴＤＤアップリンク−ダウンリンク設定＃０
＜数１＞を満足するＵＬサブフレーム:ラジオフレーム＃ｋ １０８０のサブフレーム#２、#３、#４、#７、#８、#９(１０００、１００１、１００２、１００３、１００４、１００５)、ラジオフレーム＃ｋ+１３ １０８１のサブフレーム#２、#７(１００６、１００９)
＜数２＞を満足するＵＬサブフレーム:ラジオフレーム＃ｋ １０８０のサブフレーム#４、#９(１００２、１００５)、ラジオフレーム＃ｋ+１３ １０８１のサブフレーム#２、#７(１００６、１００９)
【０１０３】
したがって、端末は、ラジオフレーム＃ｋ １０８０のサブフレーム#４ １００２→ラジオフレーム＃ｋ+１３ １０８１のサブフレーム#２ １００６、又はラジオフレーム＃ｋ １０８０のサブフレーム#９ １００５→ラジオフレーム＃ｋ+１３ １０８１のサブフレーム#７ １００９の順序で‘周期的ＣＳＩ報告’を実行する。
【０１０４】
-ＴＤＤアップリンク−ダウンリンク設定#１
＜数１＞を満足するＵＬサブフレーム:ラジオフレーム＃ｋ １０８０のサブフレーム#２、#３、#７、#８(１０２０、１０２１、１０２２、１０２３)
＜数２＞を満足するＵＬサブフレーム:なし。
-ＴＤＤアップリンク−ダウンリンク設定#２
＜数１＞を満足するＵＬサブフレーム:ラジオフレーム＃ｋ １０８０のサブフレーム#２、#７(１０３０、１０３１)
＜数２＞を満足するＵＬサブフレーム:なし。
-ＴＤＤアップリンク−ダウンリンク設定#３
＜数１＞を満足するＵＬサブフレーム:ラジオフレーム＃ｋ １０８０のサブフレーム#２、#３、#４(１０４０、１０４１、１０４２)、ラジオフレーム＃ｋ+１３ １０８１のサブフレーム#２ １０４３
＜数２＞を満足するＵＬサブフレーム:ラジオフレーム＃ｋ １０８０のサブフレーム#４ １０４２、ラジオフレーム＃ｋ+１３ １０８１のサブフレーム#２ １０４３
【０１０５】
したがって、端末は、ラジオフレーム＃ｋ １０８０のサブフレーム#４ １０４２→ラジオフレーム＃ｋ+１３ １０８１のサブフレーム#２ １０４３の順序で‘周期的ＣＳＩ報告’を実行する。
【０１０６】
-ＴＤＤアップリンク−ダウンリンク設定#４
＜数１＞を満足するＵＬサブフレーム:ラジオフレーム＃ｋ １０８０のサブフレーム#２、#３(１０５０、１０５１)
＜数２＞を満足するＵＬサブフレーム:なし。
-ＴＤＤアップリンク−ダウンリンク設定#５
＜数１＞を満足するＵＬサブフレーム:ラジオフレーム＃ｋ １０８０のサブフレーム#２(１０６０)
＜数２＞を満足するＵＬサブフレーム:なし。
-ＴＤＤアップリンク−ダウンリンク設定#６
＜数１＞を満足するＵＬサブフレーム:ラジオフレーム＃ｋ １０８０のサブフレーム#２、#３、#４、#７、#８(１０７０、１０７１、１０７２、１０７３、１０７４)、ラジオフレーム＃ｋ+１３ １０３１のサブフレーム#２ １０７５
＜数２＞を満足するＵＬサブフレーム:ラジオフレーム＃ｋ １０８０のサブフレーム#７ １０７２、ラジオフレーム＃ｋ+１３ １０３１のサブフレーム#２ １０７５
【０１０７】
したがって、端末は、ラジオフレーム＃ｋ １０８０のサブフレーム#４ １０７２→ラジオフレーム＃ｋ+１３ １０８１のサブフレーム#２ １０７５の順序で‘周期的ＣＳＩ報告’を実行する。
【０１０８】
結論的に、ＦＤＤ ＳcellのＣＳＩ伝送周期(Ｎpd)＝１２８は、
ＴＤＤ ＰcellのＴＤＤアップリンク−ダウンリンク設定＃０、＃３、＃６に適用されてもよい。
【０１０９】
全てのＴＤＤアップリンク−ダウンリンク設定は、１０msの周期性を満足するので、ＦＤＤ ＳcellのＣＳＩ伝送周期(Ｎpd）が１０の倍数に該当する｛１０，２０，４０，８０，１６０｝は、全てのＴＤＤアップリンク−ダウンリンク設定に適用可能である。
【０１１０】
上述の内容を総合すると、第１の実施形態でＦＤＤ ＳcellのＣＳＩ伝送周期(Ｎpd)別に適用可能なＴＤＤアップリンク−ダウンリンク設定は、下記の＜表２＞のように整理される。
【０１１１】
【表２】
0006619344.tif 000005
【０１１２】
すなわち、ＴＤＤ ＰcellがＴＤＤアップリンク−ダウンリンク設定＃０を有する場合、ＦＤＤ ＳcellのＮpdは、２，５，３２，６４，１２８}及び{１０，２０，４０，８０，１６０}から選択され、ＴＤＤ ＰcellがＴＤＤアップリンク−ダウンリンク設定#１を有する場合、ＦＤＤ ＳcellのＮpdは、５、６４}及び{１０，２０，４０，８０，１６０}から選択され、ＴＤＤ ＰcellがＴＤＤアップリンク−ダウンリンク設定#２を有する場合、ＦＤＤ ＳcellのＮpdは、５}及び{１０，２０，４０，８０，１６０}から選択され、ＴＤＤ ＰcellがＴＤＤアップリンク−ダウンリンク設定#３を有する場合、ＦＤＤ ＳcellのＮpdは、２，３２，１２８}及び{１０，２０，４０，８０，１６０}から選択され、ＴＤＤ ＰcellがＴＤＤアップリンク−ダウンリンク設定#４、５を有する場合、ＦＤＤ ＳcellのＮpdは、１０，２０，４０，８０，１６０}から選択され、ＴＤＤ ＰcellがＴＤＤアップリンク−ダウンリンク設定#６を有する場合、ＦＤＤ ＳcellのＮpdは、２，５，３２，６４，１２８}及び{１０，２０，４０，８０，１６０}から選択されてもよい。
【０１１３】
図１１は、本発明の一実施形態によるＣＳＩ伝送周期(Ｎpd）の設定動作を示す図である。
図１１を参照すると、ステップ１１００で、基地局は、端末のＴＤＤ Ｐcellに対して定義されたＴＤＤアップリンク−ダウンリンク設定を識別する。上記ＴＤＤアップリンク−ダウンリンク設定は、端末に対してＴＤＤ Ｐcellが構成される時点で、ＴＤＤ Ｐcellのアップリンク−ダウンリンクトラフィック状況、周辺セルのＴＤＤアップリンク−ダウンリンク設定に対する状態などを考慮して定められる。
【０１１４】
ステップ１１０２で、基地局は、ＦＤＤ Ｓcellに対して設定しようとするＣＳＩ伝送周期(Ｎpd)を決定する。具体的に基地局は、ＦＤＤセルに対して設定可能な{２，５，１０，２０，４０，８０，１６０，３２，６４，１２８}のうちの一つを選択できる。
【０１１５】
ステップ１１０４で、基地局は、上記ＣＳＩ伝送周期(Ｎpd)から＜数１＞を満足するＴＤＤ ＰcellのＵＬサブフレームが＜数２＞を満足するか否かを評価する。仮に、＜数２＞が満足する場合、基地局は、ステップ１１０６で、上記ＣＳＩ伝送周期(Ｎpd)をＦＤＤ ＳcellのＣＳＩ伝送周期(Ｎpd）として決定し、ステップ１１１０で上記決定されたＣＳＩ伝送周期に対する情報を所定シグナリングメッセージに乗せて端末に伝送する。一方、＜数２＞が満足しないと、ステップ１１０８で、基地局は、ステップ１１０２に復帰してＣＳＩ伝送周期を再び設定する。
【０１１６】
他の実施形態として基地局は、端末に対して構成されたＰcellがＴＤＤモードであり、ＳcellがＦＤＤモードである場合、上記ＴＤＤ ＰcellのＴＤＤアップリンク−ダウンリンク設定を識別し、上記ＴＤＤアップリンク−ダウンリンク設定に対して使用されることができるＦＤＤ ＳcellのＣＳＩ伝送周期集合(set）を獲得する。一例として、基地局は、＜表２＞に基づくＴＤＤ ＰcellのＴＤＤアップリンク−ダウンリンク設定別ＣＳＩ伝送周期の集合を予め保存したメモリを具備する。ＦＤＤ ＳcellのＣＳＩ伝送周期は上記獲得された集合から所定の条件によって選択される。
【０１１７】
＜第２の実施形態＞
ＦＤＤ方式を適用するセルとＴＤＤ方式を適用するセルを結合して運用するキャリアアグリゲーションシステムで、ＴＤＤセルは、周波数ｆ１で構成されてＰcellとして動作し(以下、上記ＴＤＤセルをＴＤＤ Ｐcellと称する)、ＦＤＤセルは、アップリンク周波数ｆ２とダウンリンク周波数ｆ３で構成されてＳcellとして動作する場合(以下、上記ＦＤＤセルをＦＤＤ Ｓcellと称する)、ＦＤＤ Ｓcellに対する‘周期的ＣＳＩ報告’をＴＤＤ Ｐcellを通して実行する具体的な動作を説明する。
【０１１８】
第２実施形態で、ＦＤＤ Ｓcellに対して設定可能なＣＳＩ伝送周期(Ｎpd）は、ＴＤＤ ＰcellのＴＤＤアップリンク−ダウンリンク設定により制限されず、既存ＬＴＥ及びＬＴＥ−Ａシステムと同様にＦＤＤセルに対して可能な{２，５，１０，２０，４０，８０，１６０，３２，６４，１２８}のうち一つとして設定される。また、端末は、＜数１＞を満足するＴＤＤ ＰcellのＵＬサブフレームで‘周期的ＣＳＩ報告’を実行する。したがって、場合によって、基地局が設定したＣＳＩ伝送周期より長い時間間隔で端末のＣＳＩ報告が発生してもよい。
【０１１９】
一例として図５を参照すると、ＦＤＤ Ｓcellに対してＣＳＩ伝送周期(Ｎpd)＝２及びサブフレームオフセット(ＮOFFSET, CQI)＝偶数であり、ＴＤＤ ＰcellがＴＤＤアップリンク−ダウンリンク設定#４で構成されていると、‘周期的ＣＳＩ報告’が可能な＜数１＞を満足するＵＬサブフレームは、ラジオフレーム＃ｋ ５７０のサブフレーム#２(５４１)及びラジオフレーム＃ｋ+１ ５７１のサブフレーム#２ ５４６になる。したがって、端末は、ラジオフレーム＃ｋ ５７０のサブフレーム#２ ５４１→ラジオフレーム＃ｋ+１ ５７１のサブフレーム#２ ５４６の順序でＣＳＩ報告を実行する。ラジオフレーム＃ｋ ５７０のサブフレーム#２ ５４１とラジオフレーム＃ｋ+１ ５７１のサブフレーム#２ ５４６との間の時間間隔は１０サブフレームであり、最初にＦＤＤ Ｓcellに対して適用しようとしたＣＳＩ伝送周期(Ｎpd)＝２より長い。すなわち、基地局がＦＤＤ Ｓcellに対して設定できるＣＳＩ伝送周期(Ｎpd）は、制約がないが、端末により実際に発生するＣＳＩ伝送周期は長くてもよい。
【０１２０】
＜第３の実施形態＞
ＦＤＤ方式を適用するセルとＴＤＤ方式を適用するセルを結合して運用するキャリアアグリゲーションシステムで、ＴＤＤセルは周波数ｆ１で構成されてＰcell で動作し(以下、上記ＴＤＤセルをＴＤＤ Ｐcellと称する)、ＦＤＤセルは、アップリンク周波数ｆ２とダウンリンク周波数ｆ３で構成されてＳcellとして動作する場合(以下、上記ＦＤＤセルをＦＤＤ Ｓcellと称する)、ＦＤＤ Ｓcellに対する‘周期的ＣＳＩ報告’をＴＤＤ Ｐcellを通して実行する具体的な動作を説明する。
【０１２１】
第３の実施形態で、キャリアアグリゲーションの場合、ＦＤＤ Ｓcellに適用できるＣＳＩ伝送周期(Ｎpd）は、単一キャリアのＦＤＤセルに対して定められた{２，５，１０，２０，４０，８０，１６０，３２，６４，１２８}ではなく、ＴＤＤセルの可能なＣＳＩ伝送周期を考慮して定められる別途の集合に基づいて設定される。
【０１２２】
方法１:ＦＤＤ Ｓcellに適用できるＣＳＩ伝送周期(Ｎpd）はＴＤＤ Ｐcellに適用できるＣＳＩ伝送周期(Ｎpd)から選択される。すなわち、ＦＤＤ Ｓcellに適用できるＣＳＩ伝送周期(Ｎpd）の集合は、｛１，５，１０，２０，４０，８０，１６０}になる。基地局は、Ｍ端末に対して構成されたＦＤＤ Ｓcellに対するＮpdを決定する時、上記集合のうちの一つの元素を選択し、上記選択されたＮpdに対する情報を端末にシグナリングする。端末は、基地局から指示されたＮpdに基づいて、＜数１＞を満足するＴＤＤ ＰcellのＵＬサブフレームで‘周期的ＣＳＩ報告’を実行する。ここで、Ｎpd＝１は、ＴＤＤ Ｐcellの全てのＵＬサブフレームでＣＳＩ報告が実行されることを意味する。
【０１２３】
方法２:ＦＤＤ Ｓcellに適用できるＣＳＩ伝送周期(Ｎpd）は、ＴＤＤセルとＦＤＤセルに共通で適用可能な集合である{５，１０，２０，４０，８０，１６０}から選択される。基地局は、端末に対して構成されたＦＤＤ Ｓcellに対するＮpdを決定する時、上記集合のうちの一つの元素を選択し、上記選択されたＮpdに対する情報を端末にシグナリングする。端末は、基地局から指示されたＮpdに基づいて、＜数１＞を満足するＴＤＤ ＰcellのＵＬサブフレームで‘周期的ＣＳＩ報告’を実行する。
【０１２４】
第３の実施形態によれば、基地局と端末は、ＴＤＤセルとＦＤＤセルのキャリアアグリゲーションが構成されたか否かによって、ＦＤＤ Ｓcell又はＦＤＤセルに適用するＣＳＩ伝送周期(Ｎpd)を設定する。
【０１２５】
図１２は、本発明の他の実施形態によるＣＳＩ伝送周期の設定動作を示すフローチャートである。フローチャートは、基地局と端末の両方で共通的に行われてもよい。
【０１２６】
図１２を参照して基地局の動作を説明すると、ステップ１２００で、基地局は、端末に対してＴＤＤセルとＦＤＤセルのキャリアアグリゲーションが設定されているかを判定する。仮にＴＤＤセルとＦＤＤセルのキャリアアグリゲーションが設定された場合、ステップ１２０２で、基地局は、ＦＤＤ Ｓcellに適用するＣＳＩ伝送周期(Ｎpd)を上述した方法１の｛１，５，１０，２０，４０，８０，１６０}又は方法２の{５，１０，２０，４０，８０，１６０}に基づいて設定する。
【０１２７】
一方、ＴＤＤセルとＦＤＤセルのキャリアアグリゲーションが設定されていない場合、すなわち端末に対してＦＤＤセルが単独で構成されるか、又は、ＦＤＤセルとＦＤＤセルのキャリアアグリゲーションが設定されている場合、ステップ１２０４で、基地局は、ＦＤＤ Ｓcellに適用するＣＳＩ伝送周期(Ｎpd)を既存ＬＴＥ及びＬＴＥ−ＡシステムのＦＤＤセルに対して定義されたＣＳＩ伝送周期(Ｎpd）の集合に基づいて設定する。
【０１２８】
ステップ１２０６で、基地局は、上記設定されたＮpdに対する情報を端末に伝送できる。端末は、受信されたＮpdに基づいて、＜数１＞を満足するＴＤＤ ＰcellのＵＬサブフレームでＦＤＤ Ｓcellに対するＣＳＩを周期的に報告する。
【０１２９】
選択可能な実施形態として端末が基地局で使用されるものと同一のアルゴリズムを通してＮpdを選択するように構成された場合、基地局は、Ｎpdに対する情報を伝送するステップ１２０６を省略し、端末は、基地局からＮpdに対する情報を受信せずに、自分でＮpdを決定して上記決定されたＮpdを利用してＦＤＤ Ｓcellに対するＣＳＩを周期的に報告できる。
【０１３０】
図１２を参照して端末の動作を説明すると、ステップ１２００で、端末は、基地局によりＴＤＤセルとＦＤＤセルのキャリアアグリゲーションが設定されているか否かを判定する。仮に、ＴＤＤセルとＦＤＤセルのキャリアアグリゲーションが設定された場合、ステップ１２０２で、端末は、ＦＤＤ Ｓcellに適用するＣＳＩ伝送周期(Ｎpd)を上述した方法１の｛１，５，１０，２０，４０，８０，１６０}又は方法２の{５，１０，２０，４０，８０，１６０}に基づいて設定する。
【０１３１】
一方、ＴＤＤセルとＦＤＤセルのキャリアアグリゲーションが設定されていない場合、すなわち、端末に対してＦＤＤセルが単独で構成されるか、又は、ＦＤＤセルとＦＤＤセルのキャリアアグリゲーションが設定されている場合、ステップ１２０４で、端末は、ＦＤＤ Ｓcellに適用するＣＳＩ伝送周期(Ｎpd)を既存ＬＴＥ及びＬＴＥ−ＡシステムのＦＤＤセルに対して定義されたＣＳＩ伝送周期(Ｎpd）の集合を根拠にして設定する。
【０１３２】
ステップ１２０６で、端末は、上記設定されたＮpdに基づいてＦＤＤ Ｓcellに対する‘周期的ＣＳＩ報告’を実行する。選択可能な実施形態として端末は自体的にＮpdを設定する代わり、基地局からＮpdに対する情報を受信し、上記受信されたＮpdに基づいてＦＤＤ Ｓcellに対する‘周期的ＣＳＩ報告'を実行してもよい。
【０１３３】
＜第４の実施形態＞
ＦＤＤ方式を適用するセルとＴＤＤ方式を適用するセルを結合して運用するキャリアアグリゲーションシステムで、ＴＤＤセルは周波数ｆ１で構成されてＳcellとして動作し(以下、上記ＴＤＤセルをＴＤＤ Ｓcellと称する)、ＦＤＤセルは、アップリンク周波数ｆ２とダウンリンク周波数ｆ３で構成されてＰcellとして動作する場合(以下、上記ＦＤＤセルをＦＤＤ Ｐcellと称する)、ＴＤＤ Ｓcellに対する‘周期的ＣＳＩ報告’をＦＤＤ Ｐcellを通して実行する具体的な動作を説明する。
【０１３４】
ＴＤＤ Ｓcellに対するＣＳＩ伝送周期(Ｎpd）は、キャリアアグリゲーションの構成 可否に依らなく、ＴＤＤセルに適用できるＣＳＩ伝送周期(Ｎpd)のうちの一つとして設定されることができる。すなわち、既存ＬＴＥ及びＬＴＥ−ＡシステムのＴＤＤセルに対して設定可能な｛１，５，１０，２０，４０，８０，１６０}のうちの一つがＴＤＤ ＳcellのＮpdに選択され、基地局は、上記選択されたＮpdに対する情報を端末にシグナリングする。端末は、基地局から指示されたＮpdに基づいて、＜数１＞を満足するＦＤＤ ＰcellのＵＬサブフレームで‘周期的ＣＳＩ報告’を実行する。したがって、ＴＤＤ Ｓcellに対する周期的ＣＳＩ報告はＦＤＤ Ｐcellを通して１サブフレーム毎に(Ｎpd＝１)実行できる。
【０１３５】
＜第５の実施形態＞
ＦＤＤ方式を適用するセルとＴＤＤ方式を適用するセルを結合して運用するキャリアアグリゲーションシステムで、ＴＤＤセルは、周波数ｆ１で構成されてＳcellとして動作し(以下、上記ＴＤＤセルをＴＤＤ Ｓcellと称する)、ＦＤＤセルは、アップリンク周波数ｆ２とダウンリンク周波数ｆ３で構成されてＰcellとして動作する場合(以下、上記ＦＤＤセルをＦＤＤ Ｐcellと称する)、ＴＤＤ Ｓcellに対する‘周期的ＣＳＩ報告’をＦＤＤ Ｐcellを通して実行する具体的な動作を説明する。
【０１３６】
キャリアアグリゲーションが設定されている場合、ＴＤＤ Ｓcellに対するＣＳＩ伝送周期(Ｎpd）は、ＦＤＤ Ｐcellに適用できるＣＳＩ伝送周期(Ｎpd)のうちの一つとして設定されてもよい。すなわち、ＴＤＤ ＳcellとＦＤＤ Ｐcellのキャリアアグリゲーションである場合、既存のＬＴＥ及びＬＴＥ−ＡシステムのＦＤＤセルに対して設定可能な{２，５，１０，２０，４０，８０，１６０，３２，６４，１２８}のうちの一つがＴＤＤ ＳcellのＮpdに選択され、基地局は上記選択されたＮpdに対する情報を端末にシグナリングする。端末は、基地局から指示されたＮpdに基づいて、＜数１＞を満足するＦＤＤ ＰcellのＵＬサブフレームで‘周期的ＣＳＩ報告’を実行する。したがって、キャリアアグリゲーションの場合、端末は、既存ＬＴＥ及びＬＴＥ−ＡシステムのＴＤＤセルに対しては定義されていないＮpd＝{２，３２，６４，１２８}であるＴＤＤ Ｓcellに対する周期的ＣＳＩ報告をＦＤＤ Ｐcellを通して実行してもよい。
【０１３７】
＜第６の実施形態＞
ＦＤＤ方式を適用するセルとＴＤＤ方式を適用するセルを結合して運用するキャリアアグリゲーションシステムで、ＴＤＤセルは周波数ｆ１で構成されてＳcellとして動作し、(以下、上記ＴＤＤセルをＴＤＤ Ｓcellと称する)、ＦＤＤセルは、アップリンク周波数ｆ２とダウンリンク周波数ｆ３で構成してＰcellとして動作する場合、(以下、上記ＦＤＤセルをＦＤＤ Ｐcellと称する)、ＴＤＤ Ｓcellに対する‘周期的ＣＳＩ報告’をＦＤＤ Ｐcellを通して実行する具体的な動作を説明する。
【０１３８】
第６の実施形態で、キャリアアグリゲーションの場合、ＴＤＤ Ｓcellに適用できるＣＳＩ伝送周期(Ｎpd）は、単一キャリアのＴＤＤセルに対して定められた｛１，５，１０，２０，４０，８０，１６０}ではなく、ＦＤＤセルの可能なＣＳＩ伝送周期を考慮して定められる別途の集合に基づいて設定される。
【０１３９】
方法１:ＴＤＤ Ｓcellに適用できるＣＳＩ伝送周期(Ｎpd）はＦＤＤ Ｐcellに適用できるＣＳＩ伝送周期(Ｎpd)の中から選択される。すなわち、ＴＤＤ Ｓcellに適用できるＣＳＩ伝送周期(Ｎpd）の集合は{２，５，１０，２０，４０，８０，１６０，３２，６４，１２８}になる。基地局は、端末に対して構成されたＴＤＤ Ｓcellに対するＮpdを決定する時、上記集合のうちの一つの元素を選択し、上記選択されたＮpdに対する情報を端末にシグナリングする。端末は、基地局から指示されたＮpdに基づいて、＜数１＞を満足するＦＤＤ ＰcellのＵＬサブフレームで‘周期的ＣＳＩ報告’を実行する。したがってキャリアアグリゲーションの場合、端末は既存ＬＴＥ及びＬＴＥ−ＡシステムのＴＤＤセルに対しては定義されていないＮpd＝{２，３２，６４，１２８}であるＴＤＤ Ｓcellに対する周期的ＣＳＩ報告をＦＤＤ Ｐcellを通して実行してもよい。
【０１４０】
方法２:ＴＤＤ Ｓcellに適用できるＣＳＩ伝送周期(Ｎpd）は、ＴＤＤセルとＦＤＤセルに共通で適用可能な{５，１０，２０，４０，８０，１６０}から選択される。基地局は、端末に対して構成されたＴＤＤ Ｓcellに対するＮpdを決定する時、上記集合のうちの一つの元素を選択し、上記選択されたＮpdに対する情報を端末にシグナリングする。端末は、基地局から指示されたＮpdに基づいて、＜数１＞を満足するＦＤＤ ＰcellのＵＬサブフレームで‘周期的ＣＳＩ報告’を実行する。
【０１４１】
第６の実施形態によれば、基地局と端末は、ＴＤＤセルとＦＤＤセルのキャリアアグリゲーションが構成されたか否かによって、ＴＤＤ Ｓcell又はＴＤＤセルに適用するＣＳＩ伝送周期(Ｎpd)を設定する。すなわち、ＴＤＤセルとＦＤＤセルのキャリアアグリゲーションが設定された場合、ＴＤＤ Ｓcellに適用するＣＳＩ伝送周期(Ｎpd）は、上記方法１又は方法２により設定される。ＴＤＤセルとＦＤＤセルのキャリアアグリゲーションが設定されない場合、すなわち、ＴＤＤセル単独で運営されるか、又は、ＴＤＤセルとＴＤＤセルのキャリアアグリゲーションが設定された場合、ＴＤＤセルに適用するＣＳＩ伝送周期(Ｎpd）は、既存ＬＴＥ及びＬＴＥ−ＡシステムのＴＤＤセルに対して定義されたＣＳＩ伝送周期(Ｎpd)から選択される。
【０１４２】
図１３は、本発明の他の実施形態によるＣＳＩ伝送周期の設定動作を示すフローチャートである。図示するフローチャートは、基地局と端末の両方から共通的に行われることができる。
【０１４３】
図１３を参照して基地局の動作を説明すると、ステップ１３００で、基地局は、端末に対してＴＤＤセルとＦＤＤセルのキャリアアグリゲーションが設定されているかを判定する。仮にＴＤＤセルとＦＤＤセルのキャリアアグリゲーションが設定された場合には、ステップ１３０２で基地局はＴＤＤ Ｓcellに適用するＣＳＩ伝送周期(Ｎpd)を上述した方法１の{２，５，１０，２０，４０，８０，１６０，３２，６４，１２８}又は方法２の{５，１０，２０，４０，８０，１６０}に基づいて設定する。
【０１４４】
一方、ＴＤＤセルとＦＤＤセルのキャリアアグリゲーションが設定されていない場合、すなわち、端末に対してＴＤＤセルが単独で構成されるか、又は、ＴＤＤセルとＴＤＤセルのキャリアアグリゲーションが設定されている場合、ステップ１３０４で、基地局は、ＴＤＤセルに適用するＣＳＩ伝送周期(Ｎpd)を既存ＬＴＥ及びＬＴＥ−ＡシステムのＴＤＤセルに対して定義されたＣＳＩ伝送周期(Ｎpd）の集合に基づいて設定する。
【０１４５】
ステップ１３０６で、基地局は、上記設定されたＮpdに対する情報を端末に伝送できる。端末は、受信されたＮpdに基づいて、＜数１＞を満足するＦＤＤ ＰcellのＵＬサブフレームでＴＤＤ Ｓcellに対するＣＳＩを周期的に報告する。
【０１４６】
選択可能な実施形態として端末が基地局で使用されたものと同一のアルゴリズムを通してＮpdを選択するように構成された場合、基地局は、Ｎpdに対する情報を伝送するステップ１３０６を省略し、端末は、基地局からＮpdに対する情報を受信せずに、自らＮpdを決定して上記決定されたＮpdを利用してＴＤＤ Ｓcellに対するＣＳＩを周期的に報告できる。
【０１４７】
図１３を参照して端末の動作を説明すると、ステップ１３００で、端末は、基地局によりＴＤＤセルとＦＤＤセルのキャリアアグリゲーションが設定されたか否かを判定する。仮にＴＤＤセルとＦＤＤセルのキャリアアグリゲーションが設定された場合、ステップ１３０２で、端末は、ＴＤＤ Ｓcellに適用するＣＳＩ伝送周期(Ｎpd)を上述した方法１の{２，５，１０，２０，４０，８０，１６０，３２，６４，１２８}又は方法２の{５，１０，２０，４０，８０，１６０}に基づいて設定する。
【０１４８】
一方、ＴＤＤセルとＦＤＤセルのキャリアアグリゲーションが設定されていない場合、すなわち端末に対してＴＤＤセルが単独で構成されるか、又は、ＴＤＤセルとＴＤＤセルのキャリアアグリゲーションが設定されている場合、ステップ１３０４で、端末は、ＴＤＤ Ｓcellに適用するＣＳＩ伝送周期(Ｎpd)を既存のＬＴＥ及びＬＴＥ−ＡシステムのＴＤＤセルに対して定義されたＣＳＩ伝送周期(Ｎpd）の集合に基づいて設定する。
【０１４９】
ステップ１３０６で、端末は、上記設定されたＮpdに基づいてＴＤＤ Ｓcellに対する‘周期的ＣＳＩ報告’を実行する。選択可能な実施形態として、端末は、自体的にＮpdを設定する代わり、基地局からＮpdに対する情報を受信し、上記受信されたＮpdに基づいてＴＤＤ Ｓcellに対する‘周期的ＣＳＩ報告’を実行してもよい。
【０１５０】
図１４は、本発明の一実施形態によって端末が‘周期的ＣＳＩ報告’を実行する動作を示すフローチャートである。
図１４を参照すると、ステップ１４００で、端末は、基地局からＴＤＤアップリンク−ダウンリンク設定情報及びＣＳＩ報告設定情報を獲得する。ＣＳＩ報告設定情報は、ＣＳＩ伝送周期(Ｎpd)及びサブフレームオフセット(ＮOFFSET，CQI)のうちの少なくとも一つを示す。ステップ１４０２で、端末は、周期的ＣＳＩ報告のための伝送時点を判定する。この時、端末は、上述した実施形態の何れか一つによってＣＳＩ伝送時点を判定できる。仮にサブフレーム＃ｎで‘周期的ＣＳＩ報告’を実行すべき場合、１４０４で、端末は、サブフレーム＃ｎでＰＵＳＣＨ伝送をすべきであるか否かを判定する。判定結果、サブフレーム＃ｎでＰＵＳＣＨ伝送をすべき場合、ステップ１４０６で、端末は、サブフレーム＃ｎでＰＵＳＣＨにＣＳＩを含めて基地局に伝送する。ステップ１４０４の判定結果、サブフレーム＃ｎでＰＵＳＣＨ伝送がない場合、ステップ１４０８で、端末は、サブフレーム＃ｎでＰＵＣＣＨを通してＣＳＩを伝送する。
【０１５１】
図１５は、本発明の一実施形態による端末送信装置の構成を示すブロック図である。説明の便宜のために本発明と直接的な関連がない構成要素はその図示及び説明を省略する。
【０１５２】
図１５を参照すると、端末１５００は、ＰＵＣＣＨブロック１５０４、多重化器１５０６、送信ＲＦ(Radio Frequency)ブロック１５０８を含むＴＤＤセル送信部１５０２とＰＵＣＣＨブロック１５１２、多重化器１５１４、送信ＲＦブロック１５１６を含むＦＤＤセル送信部１５１０と制御器１５２０で構成される。制御器１５２０は、基地局から受信した制御情報を参照して端末の‘周期的ＣＳＩ報告’に対して、上述した実施形態の何れか一つによってＦＤＤセル送信部１５１０とＴＤＤセル送信部１５０２のそれぞれの構成ブロックを制御する。上記制御情報は適用される実施形態によって、ＴＤＤアップリンク−ダウンリンク設定情報及びＣＳＩ報告設定情報のうちの少なくとも一つを含む。
【０１５３】
ＴＤＤセル送信部１５０２でＰＵＣＣＨブロック１５０４は、基地局によりＴＤＤ Ｐcellが端末に対して設定された場合ＣＳＩを込めたＰＵＣＣＨ信号を生成する。ＴＤＤセルに伝送される他のアップリンク伝送信号がある場合、端末は、上記ＰＵＣＣＨ信号を多重化器１５０６により上記他のアップリンク伝送信号と共に多重化した後、送信ＲＦブロック１５０８で信号処理した後、基地局に伝送する。
【０１５４】
ＦＤＤセル送信部１５１０で、ＰＵＣＣＨブロック１５１２は、基地局によりＦＤＤ Ｐcellが端末に対して設定された場合、ＣＳＩを込めたＰＵＣＣＨ信号を生成する。ＦＤＤセルに伝送される他のアップリンク伝送信号がある場合、端末は、上記ＰＵＣＣＨ信号を多重化器１５１４で上記他のアップリンク伝送信号と一緒に多重化した後、送信ＲＦブロック１５１６で信号処理した後、基地局に伝送する。
【０１５５】
図１６は、本発明の一実施形態による基地局受信装置の構成を示すブロック図である。説明の便宜のために本発明と直接的な関連のない構成要素はその図示及び説明を省略する。
【０１５６】
図１６を参照すると、基地局１６００は、ＰＵＣＣＨブロック１６０４、逆多重化器１６０６、受信ＲＦブロック１６０８を含むＴＤＤセル受信部１６０２とＰＵＣＣＨブロック１６１２、逆多重化器１６１４、受信ＲＦブロック１６１８を含むＦＤＤセル受信部１６１０と制御器１６２０で構成される。制御器１６２０は、端末が伝送するＣＳＩを基地局が受信するように、上述した実施形態の何れか一つによってＴＤＤセル受信部１６０２とＦＤＤセル受信部１６１０のそれぞれの構成ブロックを制御する。図示しないが、制御器１６２０は、適用される実施形態によって、ＴＤＤアップリンク−ダウンリンク設定情報及びＣＳＩ報告設定情報のうちの少なくとも一つを別途の送信部(図示しない）を経て端末に伝送できる。
【０１５７】
ＴＤＤセル受信部１６０２は、ＴＤＤ Ｐcellが端末に対して構成された場合、端末から受信した信号を受信ＲＦブロック１６０８で信号処理した後、逆多重化器１６０６を通してＰＵＣＣＨ信号を分離した後、ＰＵＣＣＨブロック１６０４で上記ＰＵＣＣＨ信号からＣＳＩを獲得する。
【０１５８】
ＦＤＤセル受信部１６１０は、ＦＤＤ Ｐcellが端末に対して構成された場合、端末から受信した信号を受信ＲＦブロック１６１８で信号処理した後、逆多重化器１６１４を通してＰＵＣＣＨ信号を分離した後、ＰＵＣＣＨブロック１６１２で上記ＰＵＣＣＨ信号からＣＳＩを獲得する。
【０１５９】
＜第７の実施形態＞
第７の実施形態は、ＴＤＤセルとＦＤＤセルのキャリアアグリゲーションが構成された場合に、ＳcellのＣＳＩ報告のためのサブフレームオフセット(ＮOFFSET，CQI）を決定する方法を説明する。具体的に第１〜６実施形態で定義したＳcellのＣＳＩ報告のためのＣＳＩ伝送周期(Ｎpd)決定方法を利用して、ＳcellのＣＳＩ報告のためのサブフレームオフセット(ＮOFFSET，CQI）が決定される。ＬＴＥシステムで、基地局は、端末に上位階層シグナリング、例えば、ＲＲＣ(Radio Resource Control)シグナリングを通して伝えられるパラメータであるcqi-pmi-ConfigIndex(ＩＣＱＩ／ＰＭＩ)を通して端末に周期的ＣＳＩ報告のための関連情報を提供する。上記ＣＳＩ報告のための関連情報は、ＣＳＩ伝送周期(Ｎpd)とサブフレームオフセット(ＮOFFSET，CQI）を示す。cqi-pmi-ConfigIndexは、端末がＰＵＣＣＨを通してＣＳＩのうちのＣＱＩとＰＭＩをどれほど頻繁に報告するかを決定するために使用されるパラメータである。
【０１６０】
＜表３＞と＜表４＞は、各々ＬＴＥシステムのＦＤＤセルとＴＤＤセルに対して定義されたＩＣＱＩ／ＰＭＩとＮpd及びＮOFFSET，CQIとの間のマッピング(mapping of ＩＣＱＩ／ＰＭＩ to Npd and NOFFSET，CQI)関係を示す。例えば、キャリアアグリゲーションをしないＦＤＤセルに対して、端末が基地局からＩＣＱＩ／ＰＭＩ＝２のシグナリングを受けた場合、端末は、＜表３＞により上記ＦＤＤセルの周期的ＣＳＩ報告のための関連情報をＮpd＝５、ＮOFFSET，CQI＝０に決定する。基地局は、同様に＜表３＞によりＦＤＤセルの周期的ＣＳＩ報告のための関連情報を決定した後、決定されたタイミングで上記端末からＣＳＩが受信されると期待する。
下記の＜表３＞は、ＩＣＱＩ／ＰＭＩのＮpdに対するマッピングとＦＤＤに対するＮOFFSET，CQIを示す。
【０１６１】
【表３】
0006619344.tif 000006
【０１６２】
下記の＜表４＞は、ＩＣＱＩ／ＰＭＩのＮpdに対するマッピングとＴＤＤに対するＮOFFSET，CQIを示す。
【０１６３】
【表４】
0006619344.tif 000007
【０１６４】
＜表３＞と＜表４＞を活用して、ＦＤＤ方式を適用するセルとＴＤＤ方式を適用するセルを結合して、ＴＤＤ ＰcellとＦＤＤ Ｓcellを運用するキャリアアグリゲーションシステムで、ＦＤＤ Ｓcellに対する‘周期的ＣＳＩ報告’をＴＤＤ Ｐcellを通して実行する場合、ＮpdとＮOFFSET，CQIの具体的な決定方法を第１〜３の実施形態のそれぞれの場合に対して説明する。
【０１６５】
-第１の実施形態の場合:端末は、ＦＤＤ Ｓcellの周期的ＣＳＩ報告のためのＮpdとＮOFFSET，CQIを＜表３＞により決定する。ただし、第１の実施形態で定義した通りＴＤＤ ＰcellのＴＤＤアップリンク−ダウンリンク設定によってＦＤＤ Ｓcellに対して設定できるＮpdが制限される。
-第２の実施形態の場合:端末は、ＦＤＤ Ｓcellの周期的ＣＳＩ報告のためのＮpdとＮOFFSET，CQIを＜表３＞により決定する。
-第３の実施形態の方法１の場合:端末は、ＦＤＤ Ｓcellの周期的ＣＳＩ報告のためのＮpdとＮOFFSET，CQIを＜表４＞により決定する。
-第３の実施形態の方法２の場合:端末は、ＦＤＤ Ｓcellの周期的ＣＳＩ報告のためのＮpdとＮOFFSET，CQIを＜表５＞、＜表６＞、＜表７＞の一つによって決定する。＜表５＞、＜表６＞、＜表７＞の何れの表を使用するかは規格で定義するか、又は基地局と端末との間のシグナリングを通して約束される。＜表５＞は、＜表４＞でＮpd＝１である項目を除去した形態である。＜表６＞は、＜表３＞でＮpd＝{２，３２，６４，１２８}である項目を除去した形態である。＜表７＞は、Ｎpd＝{５，１０，２０，４０，８０，１６０}で構成されるＮpdとＮpdに対応するＮOFFSET，CQIを再構成することである。
【０１６６】
【表５】
0006619344.tif 000008
【０１６７】
【表６】
0006619344.tif 000009
【０１６８】
【表７】
0006619344.tif 000010
【０１６９】
＜表３＞と＜表４＞を活用して、ＦＤＤ方式を適用するセルとＴＤＤ方式を適用するセルを結合して、ＦＤＤ ＰcellとＴＤＤ Ｓcellを運用するキャリアアグリゲーションシステムで、ＴＤＤ Ｓcellに対する‘周期的ＣＳＩ報告’をＦＤＤ Ｐcellを通して実行する場合、ＮpdとＮOFFSET，CQIの具体的な決定方法を第４〜６実施形態のそれぞれの場合に対して説明する。
【０１７０】
-第４の実施形態の場合:端末はＴＤＤ Ｓcellの周期的ＣＳＩ報告のためのＮpdとＮOFFSET，CQIを＜表４＞により決定する。
-第５の実施形態の場合:端末はＴＤＤ Ｓcellの周期的ＣＳＩ報告のためのＮpdとＮOFFSET，CQIを＜表３＞により決定する。
-第６の実施形態の方法１の場合:端末は、ＴＤＤ Ｓcellの周期的ＣＳＩ報告のためのＮpdとＮOFFSET，CQIを＜表３＞により決定する。
-第６の実施形態の方法２の場合:ＴＤＤ Ｓcellの周期的ＣＳＩ報告のためのＮpdとＮOFFSET，CQIは、＜表５＞、＜表６＞、＜表７＞の一つによって決定される。＜表５＞、＜表６＞、＜表７＞の何れかの表を使用するとは通信標準規格で定義されるか、又は基地局と端末間のシグナリングを通して約束できる。
【０１７１】
仮に、端末が基地局から第１〜７実施形態で定義されたＮpdでない他の値をＳcellのＣＳＩ伝送周期として設定を受けると、端末は、Ｓcellの周期的ＣＳＩ伝送を実行することができなくなる。
【０１７２】
一方、本明細書と図面に開示の本発明の実施形態は、本発明の技術内容を容易に説明して本発明の理解を助けるために特定例を提示したことであり、本発明の範囲を限定することではない。すなわち、本発明の技術的思想に基づく他の変形形態が実施可能であることは本発明の属する技術分野で通常の知識を有する者にとって自明である。
【符号の説明】
【０１７３】
１０２  シンボル
１０４  サブキャリア
１０５  サブフレーム
１０６  スロット
１０７  ラジオフレーム
１０８  リソースブロック
１１０  サブキャリア
１１２  リソースエレメント
２０２  基地局
４１０  サブフレーム
４１１  アップリンクサブフレーム
４１２  アップリンクサブフレーム
４１３  サブフレーム
４１４  アップリンクサブフレーム
４１５  アップリンクサブフレーム
１５００  端末
１５０２  セル送信部
１５０６  多重化器
１５１０  セル送信部
１５１４  多重化器
１５２０  制御器
１６００  基地局
１６０２  セル受信部
１６０６  逆多重化器
１６１０  セル受信部
１６１４  逆多重化器
１６２０  制御器
【図１】
0006619344.tif 000011
【図２】
0006619344.tif 000012
【図３】
0006619344.tif 000013
【図４】
0006619344.tif 000014
【図５ａ】
0006619344.tif 000015
【図５ｂ】
0006619344.tif 000016
【図６ａ】
0006619344.tif 000017
【図６ｂ】
0006619344.tif 000018
【図７】
0006619344.tif 000019
【図８ａ】
0006619344.tif 000020
【図８ｂ】
0006619344.tif 000021
【図９ａ】
0006619344.tif 000022
【図９ｂ】
0006619344.tif 000023
【図１０ａ】
0006619344.tif 000024
【図１０ｂ】
0006619344.tif 000025
【図１１】
0006619344.tif 000026
【図１２】
0006619344.tif 000027
【図１３】
0006619344.tif 000028
【図１４】
0006619344.tif 000029
【図１５】
0006619344.tif 000030
【図１６】
0006619344.tif 000031